(57)【特許請求の範囲】
【請求項１】
第１の偏波を用いた第１偏波信号と、前記第１の偏波と直交する第２の偏波を用いた第２偏波信号とに、前記第１の偏波及び前記第２の偏波と非直交の偏波を用いた非直交偏波信号を多重して伝送を行なう送信装置及び受信装置からなる偏波多重伝送システムであって、
前記送信装置は、
前記非直交偏波信号を前記第１の偏波へ投影して第１写像成分を生成し、前記非直交偏波信号を前記第２の偏波へ投影して第２写像成分を生成する投影部と、
前記第１偏波信号と、前記投影部により生成された第１写像成分とを同じ周波数で送信する第１偏波送信部と、
前記第２偏波信号と、前記投影部により生成された第２写像成分とを前記同じ周波数で送信する第２偏波送信部とを備え、
前記受信装置は、
前記第１偏波信号及び前記第１写像成分が多重された第１の多重信号を受信する第１偏波受信部と、
前記第２偏波信号及び前記第２写像成分が多重された第２の多重信号を受信する第２偏波受信部と、
前記第１偏波受信部が受信した前記第１の多重信号、または、前記第１の多重信号からレプリカ信号を除去した信号である第１の処理対象信号と、前記第２偏波受信部が受信した前記第２の多重信号、または、前記第２の多重信号からレプリカ信号を除去した信号である第２の処理対象信号との品質を比較する比較部と、
前記比較部が前記第１の処理対象信号の品質が高いと判断した場合、前記第１の処理対象信号から前記第１偏波信号または前記非直交偏波信号を復調復号し、前記比較部が前記第２の処理対象信号の品質が高いと判断した場合、前記第２の処理対象信号から前記第２偏波信号または前記非直交偏波信号を復調復号する復調復号部と、
前記復調復号部により復調復号された前記第１偏波信号、前記第２偏波信号、または、前記非直交偏波信号のレプリカ信号を生成するレプリカ信号生成部と、
前記レプリカ信号生成部が前記非直交偏波信号のレプリカ信号を生成した場合、前記非直交偏波信号のレプリカ信号の前記第１の偏波への投射変換である第１レプリカ写像成分を生成するとともに、前記非直交偏波信号のレプリカ信号の前記第２の偏波への投射変換である第２レプリカ写像成分を生成するレプリカ信号投影部と、
前記復調復号部により前記第１偏波信号が復調復号された場合、前記第１の処理対象信号から前記レプリカ信号生成部が生成した前記第１偏波信号のレプリカ信号を除去して生成した新たな前記第１の処理対象信号を前記比較部に出力し、前記復調復号部により前記第２偏波信号が復調復号された場合、前記第２の処理対象信号から前記レプリカ信号生成部が生成した前記第２偏波信号のレプリカ信号を除去して生成した新たな前記第２の処理対象信号を前記比較部に出力し、前記復調復号部により前記非直交偏波信号復調復号された場合、前記第１の処理対象信号から前記レプリカ信号投影部が生成した前記第１レプリカ写像成分を除去して生成した新たな前記第１の処理対象信号を前記比較部に出力するとともに、前記第２の処理対象信号から前記レプリカ信号投影部が生成した前記第２レプリカ写像成分を除去して生成した新たな前記第２の処理対象信号を前記比較部に出力する減算部とを備える、
ことを特徴とする偏波多重伝送システム。
【請求項２】
前記復調復号部は、前記第１の処理対象信号または前記第２の処理対象信号を前記非直交の偏波へ投影した信号から前記非直交偏波信号を復調復号することを特徴とする請求項１に記載の偏波多重伝送システム。
【請求項３】
前記第１の処理対象信号、前記第２の処理対象信号、あるいは、前記比較部により品質が高いと判断された前記第１の処理対象信号または前記第２の処理対象信号を前記非直交の偏波へ投影した信号から伝送路推定を行う伝送路推定部と、
前記レプリカ信号生成部が生成した前記第１偏波信号のレプリカ信号に前記伝送路推定部が前記第１の処理対象信号から推定した伝送路推定値を作用させて前記減算部に出力し、前記レプリカ信号生成部が生成した前記第２偏波信号のレプリカ信号に前記伝送路推定部が前記第２の処理対象信号から推定した伝送路推定値を作用させて前記減算部に出力し、前記レプリカ信号生成部が生成した前記非直交偏波信号のレプリカ信号に、前記伝送路推定部が前記非直交の偏波へ投影した信号から推定した伝送路推定値を作用させて前記レプリカ信号投影部に出力する振幅位相調整部とをさらに備える、
ことを特徴とする請求項１または請求項２に記載の偏波多重伝送システム。
【請求項４】
前記比較部は、信号電力または信号対干渉雑音比により信号の品質を判断することを特徴とする請求項１から請求項３のいずれか１項に記載の偏波多重伝送システム。
【請求項５】
第１の偏波を用いた第１偏波信号と、前記第１の偏波と直交する第２の偏波を用いた第２偏波信号とに、前記第１の偏波及び前記第２の偏波と非直交の偏波を用いた非直交偏波信号を多重して伝送を行なう偏波多重伝送システムにおける受信装置であって、
前記第１偏波信号と、前記第１の偏波へ前記非直交偏波信号を投影した第１写像成分とが多重された第１の多重信号を受信する第１偏波受信部と、
前記第２偏波信号と、前記第２の偏波へ前記非直交偏波信号を投影した第２写像成分とが多重された第２の多重信号を受信する第２偏波受信部と、
前記第１偏波受信部が受信した前記第１の多重信号、または、前記第１の多重信号からレプリカ信号を除去した信号である第１の処理対象信号と、前記第２偏波受信部が受信した前記第２の多重信号、または、前記第２の多重信号からレプリカ信号を除去した信号である第２の処理対象信号との品質を比較する比較部と、
前記比較部が前記第１の処理対象信号の品質が高いと判断した場合、前記第１の処理対象信号から前記第１偏波信号または前記非直交偏波信号を復調復号し、前記比較部が前記第２の処理対象信号の品質が高いと判断した場合、前記第２の処理対象信号から前記第２偏波信号または前記非直交偏波信号を復調復号する復調復号部と、
前記復調復号部により復調復号された前記第１偏波信号、前記第２偏波信号、または、前記非直交偏波信号のレプリカ信号を生成するレプリカ信号生成部と、
前記レプリカ信号生成部が前記非直交偏波信号のレプリカ信号を生成した場合、前記非直交偏波信号のレプリカ信号の前記第１の偏波への投射変換である第１レプリカ写像成分を生成するとともに、前記非直交偏波信号のレプリカ信号の前記第２の偏波への投射変換である第２レプリカ写像成分を生成するレプリカ信号投影部と、
前記復調復号部により前記第１偏波信号が復調復号された場合、前記第１の処理対象信号から前記レプリカ信号生成部が生成した前記第１偏波信号のレプリカ信号を除去して生成した新たな前記第１の処理対象信号を前記比較部に出力し、前記復調復号部により前記第２偏波信号が復調復号された場合、前記第２の処理対象信号から前記レプリカ信号生成部が生成した前記第２偏波信号のレプリカ信号を除去して生成した新たな前記第２の処理対象信号を前記比較部に出力し、前記復調復号部により前記非直交偏波信号復調復号された場合、前記第１の処理対象信号から前記レプリカ信号投影部が生成した前記第１レプリカ写像成分を除去して生成した新たな前記第１の処理対象信号を前記比較部に出力するとともに、前記第２の処理対象信号から前記レプリカ信号投影部が生成した前記第２レプリカ写像成分を除去して生成した新たな前記第２の処理対象信号を前記比較部に出力する減算部と、
を備えることを特徴とする受信装置。
【請求項６】
第１の偏波を用いた第１偏波信号と、前記第１の偏波と直交する第２の偏波を用いた第２偏波信号とに、前記第１の偏波及び前記第２の偏波と非直交の偏波を用いた非直交偏波信号を多重して伝送を行なう送信装置及び受信装置からなる偏波多重伝送システムの偏波多重伝送方法であって、
前記送信装置が、
前記非直交偏波信号を前記第１の偏波へ投影して第１写像成分を生成し、前記非直交偏波信号を前記第２の偏波へ投影して第２写像成分を生成する投影過程と、
前記第１偏波信号と、前記投影過程において生成された第１写像成分とを同じ周波数により送信する第１偏波送信過程と、
前記第２偏波信号と、前記投影過程において生成された第２写像成分とを前記同じ周波数で送信する第２偏波送信過程と、
前記受信装置が、
前記第１偏波信号及び前記第１写像成分が多重された第１の多重信号を受信する第１偏波受信過程と、
前記第２偏波信号及び前記第２写像成分が多重された第２の多重信号を受信する第２偏波受信過程と、
前記第１の偏波受信過程において受信した前記第１の多重信号、または、前記第１の多重信号からレプリカ信号を除去した信号である第１の処理対象信号と、前記第２の偏波受信過程において受信した前記第２の多重信号、または、前記第２の多重信号からレプリカ信号を除去した信号である第２の処理対象信号との品質を比較する比較過程と、
前記比較過程において前記第１の処理対象信号の品質が高いと判断された場合、前記第１の処理対象信号から前記第１偏波信号または前記非直交偏波信号を復調復号し、前記比較過程において前記第２の処理対象信号の品質が高いと判断された場合、前記第２の処理対象信号から前記第２偏波信号または前記非直交偏波信号を復調復号する復調復号過程と、
前記復調復号過程において復調復号された前記第１偏波信号、前記第２偏波信号、または、前記非直交偏波信号のレプリカ信号を生成するレプリカ信号生成過程と、
前記レプリカ信号生成過程において前記非直交偏波信号のレプリカ信号が生成された場合、前記非直交偏波信号のレプリカ信号の前記第１の偏波への投射変換である第１レプリカ写像成分を生成するとともに、前記非直交偏波信号のレプリカ信号の前記第２の偏波への投射変換である第２レプリカ写像成分を生成するレプリカ信号投影過程と、
前記復調復号過程において前記第１偏波信号が復調復号された場合、前記第１の処理対象信号から前記レプリカ信号生成過程において生成された前記第１偏波信号のレプリカ信号を除去して新たな前記第１の処理対象信号を生成し、前記復調復号過程において前記第２偏波信号が復調復号された場合、前記第２の処理対象信号から前記レプリカ信号生成過程において生成された前記第２偏波信号のレプリカ信号を除去して新たな前記第２の処理対象信号を生成し、前記復調復号過程において前記非直交偏波信号復調復号された場合、前記第１の処理対象信号から前記レプリカ信号投影過程において生成された前記第１レプリカ写像成分を除去して新たな前記第１の処理対象信号を生成するとともに、前記第２の処理対象信号から前記レプリカ信号投影過程において生成された前記第２レプリカ写像成分を除去して新たな前記第２の処理対象信号を生成する減算過程とを有し、
前記減算過程の後、前記比較過程からの処理を繰り返す、
ことを特徴とする偏波多重伝送方法。
【請求項７】
第１の偏波を用いた第１偏波信号と、前記第１の偏波と直交する第２の偏波を用いた第２偏波信号とに、前記第１の偏波及び前記第２の偏波と非直交の偏波を用いた非直交偏波信号を多重して伝送を行なう偏波多重伝送システムにおける受信装置の受信方法であって、
前記第１偏波信号と、前記第１の偏波へ前記非直交偏波信号を投影した第１写像成分とが多重された第１の多重信号を受信する第１偏波受信過程と、
前記第２偏波信号と、前記第２の偏波へ前記非直交偏波信号を投影した第２写像成分とが多重された第２の多重信号を受信する第２偏波受信過程と、
前記第１の偏波受信過程において受信した前記第１の多重信号、または、前記第１の多重信号からレプリカ信号を除去した信号である第１の処理対象信号と、前記第２の偏波受信過程において受信した前記第２の多重信号、または、前記第２の多重信号からレプリカ信号を除去した信号である第２の処理対象信号との品質を比較する比較過程と、
前記比較過程において前記第１の処理対象信号の品質が高いと判断された場合、前記第１の処理対象信号から前記第１偏波信号または前記非直交偏波信号を復調復号し、前記比較過程において前記第２の処理対象信号の品質が高いと判断された場合、前記第２の処理対象信号から前記第２偏波信号または前記非直交偏波信号を復調復号する復調復号過程と、
前記復調復号過程において復調復号された前記第１偏波信号、前記第２偏波信号、または、前記非直交偏波信号のレプリカ信号を生成するレプリカ信号生成過程と、
前記レプリカ信号生成過程において前記非直交偏波信号のレプリカ信号が生成された場合、前記非直交偏波信号のレプリカ信号の前記第１の偏波への投射変換である第１レプリカ写像成分を生成するとともに、前記非直交偏波信号のレプリカ信号の前記第２の偏波への投射変換である第２レプリカ写像成分を生成するレプリカ信号投影過程と、
前記復調復号過程において前記第１偏波信号が復調復号された場合、前記第１の処理対象信号から前記レプリカ信号生成過程において生成された前記第１偏波信号のレプリカ信号を除去して新たな前記第１の処理対象信号を生成し、前記復調復号過程において前記第２偏波信号が復調復号された場合、前記第２の処理対象信号から前記レプリカ信号生成過程において生成された前記第２偏波信号のレプリカ信号を除去して新たな前記第２の処理対象信号を生成し、前記復調復号過程において前記非直交偏波信号復調復号された場合、前記第１の処理対象信号から前記レプリカ信号投影過程において生成された前記第１レプリカ写像成分を除去して新たな前記第１の処理対象信号を生成するとともに、前記第２の処理対象信号から前記レプリカ信号投影過程において生成された前記第２レプリカ写像成分を除去して新たな前記第２の処理対象信号を生成する減算過程とを有し、
前記減算過程の後、前記比較過程からの処理を繰り返す、
ことを特徴とする受信方法。
【発明の詳細な説明】
【技術分野】
【０００１】
本発明は、偏波多重伝送システム、受信装置、偏波多重伝送方法、及び、受信方法に関する。
【背景技術】
【０００２】
近年、無線通信システムの普及によりマイクロ波帯を中心として周波数資源が枯渇しており、高い周波数利用効率を達成する伝送技術が求められている。直交偏波多重技術は、アンテナから放射される電波の波面方向に着目し、互いに直交する波面をもつ独立した信号を同一周波数で伝送する。この直交偏波多重技術を適用すると、固定無線通信等で使用される直線偏波の場合、垂直（Ｖ）偏波と水平（Ｈ）偏波を用いたＶＨ偏波多重を実現できる。この場合、直交偏波多重技術を適用しない場合と比して、周波数利用効率は二倍となる（例えば、非特許文献１参照）。ＶＨ偏波多重信号は、例えば、２つの直線状放射素子を十字型に直交配置することにより送受信することができる。
【先行技術文献】
【非特許文献】
【０００３】
【非特許文献１】Yamashita, F.; Kobayashi, K.; Ueba, M.; Takeda, Y.; Ando, K., “Variable Polarization/Frequency Division Multiplexing (VPFDM) for Satellite Communications,” IEEE VTC2006-Fall, pp.1-5
【発明の概要】
【発明が解決しようとする課題】
【０００４】
上述したように、アンテナの構成上、直交関係となるのは二軸までであり、直交偏波多重の偏波多重数は２が上限となっていた。同一偏波面上で信号多重数を増加させ、高い周波数利用効率を達成する伝送技術として受信レプリカ信号生成を伴う干渉補償を用いる技術があるが、直交成分に非直交偏波成分を多重させた場合にそのまま適用することはできない。
【０００５】
本発明は、このような事情を考慮してなされたものであり、その目的は、直交偏波多重の偏波多重数を３以上とすることができる偏波多重伝送システム、受信装置、偏波多重伝送方法、及び、受信方法を提供することにある。
【課題を解決するための手段】
【０００６】
上述した課題を解決するために、本発明は、第１の偏波を用いた第１偏波信号と、前記第１の偏波と直交する第２の偏波を用いた第２偏波信号とに、前記第１の偏波及び前記第２の偏波と非直交の偏波を用いた非直交偏波信号を多重して伝送を行なう送信装置及び受信装置からなる偏波多重伝送システムであって、前記送信装置は、前記非直交偏波信号を前記第１の偏波へ投影して第１写像成分を生成し、前記非直交偏波信号を前記第２の偏波へ投影して第２写像成分を生成する投影部と、前記第１偏波信号と、前記投影部により生成された第１写像成分とを同じ周波数で送信する第１偏波送信部と、前記第２偏波信号と、前記投影部により生成された第２写像成分とを前記同じ周波数で送信する第２偏波送信部とを備え、前記受信装置は、前記第１偏波信号及び前記第１写像成分が多重された第１の多重信号を受信する第１偏波受信部と、前記第２偏波信号及び前記第２写像成分が多重された第２の多重信号を受信する第２偏波受信部と、前記第１偏波受信部が受信した前記第１の多重信号、または、前記第１の多重信号からレプリカ信号を除去した信号である第１の処理対象信号と、前記第２偏波受信部が受信した前記第２の多重信号、または、前記第２の多重信号からレプリカ信号を除去した信号である第２の処理対象信号との品質を比較する比較部と、前記比較部が前記第１の処理対象信号の品質が高いと判断した場合、前記第１の処理対象信号から前記第１偏波信号または前記非直交偏波信号を復調復号し、前記比較部が前記第２の処理対象信号の品質が高いと判断した場合、前記第２の処理対象信号から前記第２偏波信号または前記非直交偏波信号を復調復号する復調復号部と、前記復調復号部により復調復号された前記第１偏波信号、前記第２偏波信号、または、前記非直交偏波信号のレプリカ信号を生成するレプリカ信号生成部と、前記レプリカ信号生成部が前記非直交偏波信号のレプリカ信号を生成した場合、前記非直交偏波信号のレプリカ信号の前記第１の偏波への投射変換である第１レプリカ写像成分を生成するとともに、前記非直交偏波信号のレプリカ信号の前記第２の偏波への投射変換である第２レプリカ写像成分を生成するレプリカ信号投影部と、前記復調復号部により前記第１偏波信号が復調復号された場合、前記第１の処理対象信号から前記レプリカ信号生成部が生成した前記第１偏波信号のレプリカ信号を除去して生成した新たな前記第１の処理対象信号を前記比較部に出力し、前記復調復号部により前記第２偏波信号が復調復号された場合、前記第２の処理対象信号から前記レプリカ信号生成部が生成した前記第２偏波信号のレプリカ信号を除去して生成した新たな前記第２の処理対象信号を前記比較部に出力し、前記復調復号部により前記非直交偏波信号復調復号された場合、前記第１の処理対象信号から前記レプリカ信号投影部が生成した前記第１レプリカ写像成分を除去して生成した新たな前記第１の処理対象信号を前記比較部に出力するとともに、前記第２の処理対象信号から前記レプリカ信号投影部が生成した前記第２レプリカ写像成分を除去して生成した新たな前記第２の処理対象信号を前記比較部に出力する減算部とを備える、ことを特徴とする偏波多重伝送システムである。
【０００７】
また本発明は、上述した偏波多重伝送システムであって、前記復調復号部は、前記第１の処理対象信号または前記第２の処理対象信号を前記非直交の偏波へ投影した信号から前記非直交偏波信号を復調復号することを特徴とする。
【０００８】
また本発明は、上述した偏波多重伝送システムであって、前記第１の処理対象信号、前記第２の処理対象信号、あるいは、前記比較部により品質が高いと判断された前記第１の処理対象信号または前記第２の処理対象信号を前記非直交の偏波へ投影した信号から伝送路推定を行う伝送路推定部と、前記レプリカ信号生成部が生成した前記第１偏波信号のレプリカ信号に前記伝送路推定部が前記第１の処理対象信号から推定した伝送路推定値を作用させて前記減算部に出力し、前記レプリカ信号生成部が生成した前記第２偏波信号のレプリカ信号に前記伝送路推定部が前記第２の処理対象信号から推定した伝送路推定値を作用させて前記減算部に出力し、前記レプリカ信号生成部が生成した前記非直交偏波信号のレプリカ信号に、前記伝送路推定部が前記非直交の偏波へ投影した信号から推定した伝送路推定値を作用させて前記レプリカ信号投影部に出力する振幅位相調整部とをさらに備える、ことを特徴とする。
【０００９】
また本発明は、上述した偏波多重伝送システムであって、前記比較部は、信号電力または信号対干渉雑音比により信号の品質を判断することを特徴とする。
【００１０】
また本発明は、第１の偏波を用いた第１偏波信号と、前記第１の偏波と直交する第２の偏波を用いた第２偏波信号とに、前記第１の偏波及び前記第２の偏波と非直交の偏波を用いた非直交偏波信号を多重して伝送を行なう偏波多重伝送システムにおける受信装置であって、前記第１偏波信号と、前記第１の偏波へ前記非直交偏波信号を投影した第１写像成分とが多重された第１の多重信号を受信する第１偏波受信部と、前記第２偏波信号と、前記第２の偏波へ前記非直交偏波信号を投影した第２写像成分とが多重された第２の多重信号を受信する第２偏波受信部と、前記第１偏波受信部が受信した前記第１の多重信号、または、前記第１の多重信号からレプリカ信号を除去した信号である第１の処理対象信号と、前記第２偏波受信部が受信した前記第２の多重信号、または、前記第２の多重信号からレプリカ信号を除去した信号である第２の処理対象信号との品質を比較する比較部と、前記比較部が前記第１の処理対象信号の品質が高いと判断した場合、前記第１の処理対象信号から前記第１偏波信号または前記非直交偏波信号を復調復号し、前記比較部が前記第２の処理対象信号の品質が高いと判断した場合、前記第２の処理対象信号から前記第２偏波信号または前記非直交偏波信号を復調復号する復調復号部と、前記復調復号部により復調復号された前記第１偏波信号、前記第２偏波信号、または、前記非直交偏波信号のレプリカ信号を生成するレプリカ信号生成部と、前記レプリカ信号生成部が前記非直交偏波信号のレプリカ信号を生成した場合、前記非直交偏波信号のレプリカ信号の前記第１の偏波への投射変換である第１レプリカ写像成分を生成するとともに、前記非直交偏波信号のレプリカ信号の前記第２の偏波への投射変換である第２レプリカ写像成分を生成するレプリカ信号投影部と、前記復調復号部により前記第１偏波信号が復調復号された場合、前記第１の処理対象信号から前記レプリカ信号生成部が生成した前記第１偏波信号のレプリカ信号を除去して生成した新たな前記第１の処理対象信号を前記比較部に出力し、前記復調復号部により前記第２偏波信号が復調復号された場合、前記第２の処理対象信号から前記レプリカ信号生成部が生成した前記第２偏波信号のレプリカ信号を除去して生成した新たな前記第２の処理対象信号を前記比較部に出力し、前記復調復号部により前記非直交偏波信号復調復号された場合、前記第１の処理対象信号から前記レプリカ信号投影部が生成した前記第１レプリカ写像成分を除去して生成した新たな前記第１の処理対象信号を前記比較部に出力するとともに、前記第２の処理対象信号から前記レプリカ信号投影部が生成した前記第２レプリカ写像成分を除去して生成した新たな前記第２の処理対象信号を前記比較部に出力する減算部と、を備えることを特徴とする受信装置である。
【００１１】
また本発明は、第１の偏波を用いた第１偏波信号と、前記第１の偏波と直交する第２の偏波を用いた第２偏波信号とに、前記第１の偏波及び前記第２の偏波と非直交の偏波を用いた非直交偏波信号を多重して伝送を行なう送信装置及び受信装置からなる偏波多重伝送システムの偏波多重伝送方法であって、前記送信装置が、前記非直交偏波信号を前記第１の偏波へ投影して第１写像成分を生成し、前記非直交偏波信号を前記第２の偏波へ投影して第２写像成分を生成する投影過程と、前記第１偏波信号と、前記投影過程において生成された第１写像成分とを同じ周波数により送信する第１偏波送信過程と、前記第２偏波信号と、前記投影過程において生成された第２写像成分とを前記同じ周波数で送信する第２偏波送信過程と、前記受信装置が、前記第１偏波信号及び前記第１写像成分が多重された第１の多重信号を受信する第１偏波受信過程と、前記第２偏波信号及び前記第２写像成分が多重された第２の多重信号を受信する第２偏波受信過程と、前記第１の偏波受信過程において受信した前記第１の多重信号、または、前記第１の多重信号からレプリカ信号を除去した信号である第１の処理対象信号と、前記第２の偏波受信過程において受信した前記第２の多重信号、または、前記第２の多重信号からレプリカ信号を除去した信号である第２の処理対象信号との品質を比較する比較過程と、前記比較過程において前記第１の処理対象信号の品質が高いと判断された場合、前記第１の処理対象信号から前記第１偏波信号または前記非直交偏波信号を復調復号し、前記比較過程において前記第２の処理対象信号の品質が高いと判断された場合、前記第２の処理対象信号から前記第２偏波信号または前記非直交偏波信号を復調復号する復調復号過程と、前記復調復号過程において復調復号された前記第１偏波信号、前記第２偏波信号、または、前記非直交偏波信号のレプリカ信号を生成するレプリカ信号生成過程と、前記レプリカ信号生成過程において前記非直交偏波信号のレプリカ信号が生成された場合、前記非直交偏波信号のレプリカ信号の前記第１の偏波への投射変換である第１レプリカ写像成分を生成するとともに、前記非直交偏波信号のレプリカ信号の前記第２の偏波への投射変換である第２レプリカ写像成分を生成するレプリカ信号投影過程と、前記復調復号過程において前記第１偏波信号が復調復号された場合、前記第１の処理対象信号から前記レプリカ信号生成過程において生成された前記第１偏波信号のレプリカ信号を除去して新たな前記第１の処理対象信号を生成し、前記復調復号過程において前記第２偏波信号が復調復号された場合、前記第２の処理対象信号から前記レプリカ信号生成過程において生成された前記第２偏波信号のレプリカ信号を除去して新たな前記第２の処理対象信号を生成し、前記復調復号過程において前記非直交偏波信号復調復号された場合、前記第１の処理対象信号から前記レプリカ信号投影過程において生成された前記第１レプリカ写像成分を除去して新たな前記第１の処理対象信号を生成するとともに、前記第２の処理対象信号から前記レプリカ信号投影過程において生成された前記第２レプリカ写像成分を除去して新たな前記第２の処理対象信号を生成する減算過程とを有し、前記減算過程の後、前記比較過程からの処理を繰り返す、ことを特徴とする偏波多重伝送方法である。
【００１２】
また本発明は、第１の偏波を用いた第１偏波信号と、前記第１の偏波と直交する第２の偏波を用いた第２偏波信号とに、前記第１の偏波及び前記第２の偏波と非直交の偏波を用いた非直交偏波信号を多重して伝送を行なう偏波多重伝送システムにおける受信装置の受信方法であって、前記第１偏波信号と、前記第１の偏波へ前記非直交偏波信号を投影した第１写像成分とが多重された第１の多重信号を受信する第１偏波受信過程と、
前記第２偏波信号と、前記第２の偏波へ前記非直交偏波信号を投影した第２写像成分とが多重された第２の多重信号を受信する第２偏波受信過程と、前記第１の偏波受信過程において受信した前記第１の多重信号、または、前記第１の多重信号からレプリカ信号を除去した信号である第１の処理対象信号と、前記第２の偏波受信過程において受信した前記第２の多重信号、または、前記第２の多重信号からレプリカ信号を除去した信号である第２の処理対象信号との品質を比較する比較過程と、前記比較過程において前記第１の処理対象信号の品質が高いと判断された場合、前記第１の処理対象信号から前記第１偏波信号または前記非直交偏波信号を復調復号し、前記比較過程において前記第２の処理対象信号の品質が高いと判断された場合、前記第２の処理対象信号から前記第２偏波信号または前記非直交偏波信号を復調復号する復調復号過程と、前記復調復号過程において復調復号された前記第１偏波信号、前記第２偏波信号、または、前記非直交偏波信号のレプリカ信号を生成するレプリカ信号生成過程と、前記レプリカ信号生成過程において前記非直交偏波信号のレプリカ信号が生成された場合、前記非直交偏波信号のレプリカ信号の前記第１の偏波への投射変換である第１レプリカ写像成分を生成するとともに、前記非直交偏波信号のレプリカ信号の前記第２の偏波への投射変換である第２レプリカ写像成分を生成するレプリカ信号投影過程と、前記復調復号過程において前記第１偏波信号が復調復号された場合、前記第１の処理対象信号から前記レプリカ信号生成過程において生成された前記第１偏波信号のレプリカ信号を除去して新たな前記第１の処理対象信号を生成し、前記復調復号過程において前記第２偏波信号が復調復号された場合、前記第２の処理対象信号から前記レプリカ信号生成過程において生成された前記第２偏波信号のレプリカ信号を除去して新たな前記第２の処理対象信号を生成し、前記復調復号過程において前記非直交偏波信号復調復号された場合、前記第１の処理対象信号から前記レプリカ信号投影過程において生成された前記第１レプリカ写像成分を除去して新たな前記第１の処理対象信号を生成するとともに、前記第２の処理対象信号から前記レプリカ信号投影過程において生成された前記第２レプリカ写像成分を除去して新たな前記第２の処理対象信号を生成する減算過程とを有し、前記減算過程の後、前記比較過程からの処理を繰り返す、ことを特徴とする受信方法である。
【発明の効果】
【００１３】
本発明によれば、直交する２偏波多重用アンテナを用いて３偏波以上の偏波多重を実現し、周波数利用効率を高めることができる。また、これらのアンテナ素子間の受信レベルに差がある場合においても復調誤りを回避し、正常な各偏波信号の情報系列を復元することが可能となる。
【図面の簡単な説明】
【００１４】
【図１】本発明の一実施形態による偏波多重伝送システムにおける送信装置の動作概要を説明するための図である。
【図２】同実施形態による偏波多重伝送システムにおける受信装置の動作概要を説明するための図である。
【図３】同実施形態による偏波多重伝送システムにおける受信装置の動作概要を説明するための図である。
【図４】同実施形態による偏波多重伝送システムにおける受信装置の動作概要を説明するための図である。
【図５】同実施形態による偏波多重伝送システムにおける受信装置の動作概要を説明するための図である。
【図６】同実施形態による送信装置の構成例を示す機能ブロック図である。
【図７】図６に示す送信装置の信号送信処理の流れを表すフローチャートである。
【図８】同実施形態による送信装置の他の構成例を示す機能ブロック図である。
【図９】図８に示す信号送信処理の流れを表すフローチャートである。
【図１０】同実施形態による送信装置のさらに他の構成例を示す機能ブロック図である。
【図１１】図１０に示す送信装置の信号送信処理の流れを表すフローチャートである。
【図１２】同実施形態による受信装置の構成を示す機能ブロック図である。
【図１３】同実施形態による受信装置のＶ偏波信号、Ｈ偏波信号の復調復号処理部の構成を示す機能ブロック図である。
【図１４】同実施形態による受信装置のＰ＿θｉ偏波信号の復調復号処理部の構成を示す機能ブロック図である。
【図１５】同実施形態による受信装置の信号受信処理の流れを表すフローチャートである。
【図１６】同実施形態による受信装置の信号受信処理を説明するための図である。
【図１７】同実施形態による受信装置の信号受信処理を説明するための図である。
【図１８】同実施形態による受信装置の信号受信処理を説明するための図である。
【図１９】同実施形態による受信装置の信号受信処理を説明するための図である。
【図２０】従来の偏波多重伝送システムの偏波多重を示す図である。
【発明を実施するための形態】
【００１５】
以下、図面を参照しながら本発明の実施形態を詳細に説明する。
【００１６】
図２０は、従来の偏波多重伝送システムにおける偏波多重を示す図である。同図に示すように、従来の偏波多重伝送システムでは、同じ周波数の直交する２つの偏波である垂直偏波（以下、「Ｖ偏波」と記載する。）と水平偏波（以下、「Ｈ偏波」と記載する。）を用いたＶＨ偏波多重を行なっており、Ｖ偏波、Ｈ偏波のそれぞれで異なる信号系列を送受信する。Ｖ偏波は、大地に対して垂直方向の波面を持ち、Ｈ偏波は、大地に対して平行方向の波面を持つ。Ｖ偏波とＨ偏波とは、同一又は一部が重複する周波数帯域で伝送される。ＶＨ偏波多重を行なうために、従来の偏波多重伝送システムの送信装置は、送信アンテナとしてＶＨ偏波多重用の二素子アンテナを具備し、受信装置は、受信アンテナとしてＶＨ偏波多重用の二素子アンテナを具備する。ＶＨ偏波多重用の二素子アンテナは、２偏波多重用アンテナである。ＶＨ偏波多重用の二素子アンテナは、互いに直交するＶ偏波アンテナ及びＨ偏波アンテナを具備する。
【００１７】
本実施形態の偏波多重伝送システムでは、従来技術の偏波多重伝送システムと同様に、送信装置は、送信アンテナとしてＶＨ偏波多重用の二素子アンテナを具備し、受信装置は、受信アンテナとしてＶＨ偏波多重用の二素子アンテナを具備する。しかし、本実施形態の偏波多重伝送システムは、非直交偏波多重伝送を実施するため、Ｖ偏波とＨ偏波に加えて、大地に対して角度θｉ度（０＜θｉ＜１８０）の波面を持つＰ＿θｉ偏波（ｉ＝１，２，…，ｎ；ｎは正の整数）を伝送する。Ｐ＿θｉ偏波は、Ｖ偏波及びＨ偏波と同一又は一部が重複する周波数帯域で伝送される。
【００１８】
図１は、本実施形態による偏波多重伝送システムの送信装置における信号送信処理の概要を説明するための図である。同図に示すように、送信装置は、偏波軸ｚのＰ＿θｉ偏波信号をＶ偏波の波面へ投影してＶ偏波軸（ｙ軸）の写像成分を得る。また、送信装置は、偏波軸ｚのＰ＿θｉ偏波信号をＨ偏波の波面へ投影してＨ偏波軸（ｘ軸）の写像成分を得る。すなわち、送信装置は、Ｐ＿θｉ偏波信号をＶ偏波及びＨ偏波にベクトル分解する。Ｐ＿θｉ偏波信号の偏波軸ｚの信号成分がｐ＿θｉである場合、Ｈ偏波軸への写像成分Ｈｉは、ｐ＿θｉ・ｃｏｓθｉとなり、Ｖ偏波軸への写像成分Ｖｉは、ｐ＿θｉ・ｃｏｓ（π／２−θｉ）＝ｐ＿θｉ・ｓｉｎθｉとなる。送信装置は、Ｖ偏波信号Ｖ０とＰ＿θｉ偏波信号のＶ偏波軸への写像成分Ｖｉ（ｉ＝１〜ｎ）とを多重してＶ偏波アンテナにより伝送し、Ｈ偏波信号Ｈ０とＰ＿θｉ偏波信号のＨ偏波軸への写像成分Ｈｉ（ｉ＝１〜ｎ）とをＨ偏波アンテナにより多重して伝送する。これによって、二素子アンテナにより、３以上の偏波を多重して伝送することが可能となる。
なお、Ｍ（Ａ→Ｂ）は、Ａ偏波からＢ偏波への投射変換を表す。Ａ偏波とＢ偏波が直交関係にある場合、変換結果は零となり、非直交関係にある場合、一般に変換結果は非零となる。
【００１９】
図２〜５は、本実施形態による偏波多重伝送システムの受信装置における信号受信処理の概要を説明するための示す図である。
図１に示すように多重されて送信された偏波は、受信装置において、干渉除去処理を用いることによって復調することができる。干渉除去処理とは、複数信号が多重された受信信号から何れか１信号の復調及び復号を行なった後、得られた信号のレプリカ信号を生成して受信信号から除去し、レプリカ信号が除去された受信信号からさらに何れか１信号の復調及び復号を行なうことを繰り返して、多重された各信号を得る処理である。
【００２０】
一方、「Ulaby, F.T.; Wilson, E.A., "Microwave Attenuation Properties of Vegetation Canopies," IEEE Transactions on Geoscience and Remote Sensing, Volume: GE-23 , Issue: 5 pp.746-753, 1985.」（文献Ａ）に記載の例や、Ｖ偏波、Ｈ偏波各々のＲＦ（Radio Frequency:高周波）回路における熱雑音量の違い、パワーアンプ特性の違い等に起因して、Ｖ偏波及びＨ偏波それぞれの受信ＳＮＲ（Signal to Noise ratio：Ｓ／Ｎ比）に不均等が生じることがある。Ｖ偏波及びＨ偏波の受信ＳＮＲに不均等が生じたことによって、干渉除去処理の初段復調復号操作であるＶ偏波信号またはＨ偏波信号の復調・復号に失敗してしまった場合、非直交偏波多重されたＰ＿θｉ偏波信号を復元できなくなる場合がある。そこで受信装置は、受信したＳＩＮＲ（Signal to Interference and Noise Ratio：信号対干渉雑音比）または受信レベルの高いアンテナ素子によって受信したＶ偏波またはＨ偏波の一方を復調復号する。
【００２１】
ここでは、図２に示すように、受信ＳＮＲに不均等が生じ、受信装置において信号を受信したときに、Ｖ偏波素子の方の受信レベルが高く、受信したＶ偏波信号を第一に復調復号する場合を説明する。このとき、非直交偏波多重されているＰ＿θ１偏波信号〜Ｐ＿θｎ偏波信号は、所望波であるＶ偏波信号Ｖ０にとっては干渉雑音成分、つまり、雑音となる。しかしながら、所望波であるＶ偏波信号Ｖ０よりもＰ＿θｉ偏波信号のＶ偏波軸への写像成分Ｖｉ（ｉ＝１〜ｎ）のレベルが十分低い場合は、干渉除去処理によってＶ偏波信号Ｖ０の復調が可能である。これは、Ｈ偏波信号Ｈ０の場合も同様である。Ｐ＿θｉ偏波信号はＶ偏波、Ｈ偏波にベクトル分解されているため、Ｖ偏波信号Ｖ０、Ｈ偏波信号Ｈ０への影響が抑えられている。Ｖ偏波アンテナの受信信号、すなわち、Ｖ偏波信号Ｖ０と、Ｐ＿θｉ偏波信号のＶ偏波軸への写像成分Ｖｉ（ｉ＝１〜ｎ）とが多重された受信信号をＶ偏波処理対象信号ＲＶ０とし、Ｈ偏波アンテナの受信信号、すなわち、Ｈ偏波信号Ｈ０と、Ｐ＿θｉ偏波信号のＨ偏波軸への写像成分Ｈｉ（ｉ＝１〜ｎ）とが多重された受信信号をＨ偏波処理対象信号ＲＨ０とする。図２〜５では、簡単のため、ｎ＝１の場合、すなわち、Ｖ偏波信号Ｖ０及びＨ偏波信号Ｈ０にＰ＿θ１偏波信号のみが多重されている場合の受信処理概要について示している。
【００２２】
受信装置は、Ｖ偏波処理対象信号ＲＶ０を復調復号してＶ偏波信号Ｖ０の情報系列を復元し、この復元された情報系列を元に再符号化・再変調を行ってＶ偏波信号Ｖ０のレプリカ信号であるレプリカＶ偏波信号Ｖ０’を生成する。
【００２３】
次に、図３に示すように、受信装置は、Ｖ偏波処理対象信号ＲＶ０からレプリカＶ偏波信号Ｖ０’を除去してＶ偏波処理対象信号ＲＶ１を生成する。Ｖ偏波処理対象信号ＲＶ１には、Ｐ＿θ１偏波信号の写像成分Ｖ１のみが含まれる。また、レプリカＶ偏波信号Ｖ０’をＨ偏波軸に投影した場合の写像成分は０であるため、Ｈ偏波処理対象信号ＲＨ０は、そのままＨ偏波処理対象信号ＲＨ１となる。Ｈ偏波処理対象信号ＲＨ１には、Ｈ偏波信号Ｈ０とＰ＿θ１偏波信号のＨ偏波軸への写像成分Ｈ１が多重されている。
【００２４】
続いて、図４に示すように、受信装置は、Ｖ偏波処理対象信号ＲＶ１とＨ偏波処理対象信号ＲＨ１の信号電力を比較し、信号電力の高いＶ偏波処理対象信号ＲＶ１を次の復調復号対象として決定する。受信装置は、Ｖ偏波処理対象信号ＲＶ１をＰ＿θ１偏波面に投影する。Ｖ偏波処理対象信号ＲＶ１の信号成分をｙとすると、Ｐ＿θ１偏波面に投影したときのｚ軸成分は、ｚ＝ｙ／ｃｏｓθ１となる。受信装置は、Ｖ偏波処理対象信号ＲＶ１をＰ＿θ１偏波面に投影した信号を復調復号してＰ＿θ１偏波信号の情報系列を復元し、この復元された情報系列をもとに再符号化・再変調を行ってレプリカＰ＿θ１偏波信号を生成する。受信装置は、レプリカＰ＿θ１偏波信号をＨ偏波面に投影したレプリカ写像成分Ｈ１’を生成する。
【００２５】
そして、図５に示すように、受信装置は、Ｈ偏波処理対象信号ＲＨ１から、レプリカＰ＿θ１偏波信号をＨ偏波面に投影したレプリカ写像成分Ｈ１’を除去してＨ偏波処理対象信号ＲＨ２を生成する。Ｈ偏波処理対象信号ＲＨ２には、Ｈ偏波信号Ｈ０のみが含まれる。受信装置は、Ｈ偏波処理対象信号ＲＨ２を復調復号してＨ偏波信号Ｈ０の情報系列を復元する。
【００２６】
なお、ｉが２以上である場合、図４に示すレプリカＰ＿θ１偏波信号生成の後、以下のように動作する。すなわち、受信装置は、レプリカＰ＿θ１偏波信号をＶ偏波面に投影したレプリカ写像成分Ｖ１’をＶ偏波処理対象信号ＲＶ１から除去してＶ偏波処理対象信号ＲＶ２を生成するとともに、レプリカＰ＿θ１偏波信号をＨ偏波面に投影したレプリカ写像成分Ｈ１’をＨ偏波処理対象信号ＲＨ１から除去してＨ偏波処理対象信号ＲＨ２を生成する。
【００２７】
以後、ｉを２から１ずつ増加させ、全ての偏波信号の情報系列が得られるまで、Ｖ偏波処理対象信号ＲＶｉとＨ偏波処理対象信号ＲＨｉのうち信号電力の高い方を偏波軸へ投影して偏波信号の復調・復号を行ない、復元された情報系列から生成したレプリカ偏波信号をＶＨ波面へ投影して得たＶ偏波軸、Ｈ偏波軸への写像成分をそれぞれ、Ｖ偏波処理対象信号ＲＶｉ、Ｈ偏波処理対象信号ＲＨｉから除去してＶ偏波処理対象信号ＲＶ（ｉ＋１）とＨ偏波処理対象信号ＲＨ（ｉ＋１）を生成する処理を繰り返す。
【００２８】
なお、復調・復号を行なう順番は、予め決められており、例えば、Ｖ偏波信号Ｖ０とＰ＿θ１偏波信号〜Ｐ＿θｎ偏波信号ではＶ偏波信号Ｖ０を最初とし、Ｈ偏波信号Ｈ０とＰ＿θ１偏波信号〜Ｐ＿θｎ偏波信号ではＨ偏波信号Ｈ０を最初とする。また、Ｐ＿θ１偏波信号〜Ｐ＿θｎ偏波信号の中では、Ｐ＿θ１偏波信号、Ｐ＿θ２偏波信号、…、Ｐ＿θｎ偏波信号の順とする。このとき、Ｖ偏波信号Ｖ０は、Ｐ＿θ１偏波信号〜Ｐ＿θｎ偏波信号のＶ偏波軸への写像成分Ｖ１〜Ｖｎが多重されても復調が可能な電力レベルとし、Ｈ偏波信号Ｈ０は、Ｐ＿θ１偏波信号〜Ｐ＿θｎ偏波信号のＨ偏波軸への写像成分Ｈ１〜Ｈｎが多重されても復調が可能な電力レベルとする。同様に、Ｐ＿θｊ偏波信号（ｊ＝１〜（ｎ−１））のＶ偏波軸への写像成分Ｖｊは、Ｐ＿θ（ｊ＋１）偏波信号〜Ｐ＿θｎ偏波信号のＶ偏波軸への写像成分Ｖ（ｊ＋１）〜Ｖｎが多重されても復調が可能な電力レベルとし、Ｐ＿θｊ偏波信号（ｊ＝１〜（ｎ−１））のＨ偏波軸への写像成分Ｈｊは、Ｐ＿θ（ｊ＋１）偏波信号〜Ｐ＿θｎ偏波信号のＨ偏波軸への写像成分Ｈ（ｊ＋１）〜Ｈｎが多重されても復調が可能な電力レベルとする。各偏波の復調・復号の順番は予め送信装置及び受信装置に記憶されてもよく、送信装置が決定した順番を制御信号により受信装置へ通知してもよい。
【００２９】
以下では、「Ｖ偏波処理対象信号」と記載した場合にはＶ偏波処理対象信号ＲＶ０〜Ｖ偏波処理対象信号ＲＶ（ｎ＋１）のいずれかを選択して示したものとし、「Ｈ偏波処理対象信号」と記載した場合にはＨ偏波処理対象信号ＲＨ０〜Ｖ偏波処理対象信号ＲＨ（ｎ＋１）のいずれかを選択して示したものとし、「処理対象信号」と記載した場合にはＶ偏波処理対象信号とＨ偏波処理対象信号のいずれかを選択して示したものとする。
【００３０】
次に、偏波多重伝送システムの送信装置及び受信装置の構成及び詳細な動作について説明する。
【００３１】
図６は、本発明の一実施形態による送信装置の構成を示すブロック図である。
同図に示すように、送信装置１００は、１筐体内に、符号化器１１０−０〜１１０−（ｎ＋１）、変調器１２０−０〜１２０−（ｎ＋１）、投影器１３０ａ−１〜１３０ａ−ｎ、投影器１３０ｂ−１〜１３０ｂ−ｎ、加算器１４０ａ、加算器１４０ｂ、Ｖ偏波用アンテナ１５０ａ、及び、Ｈ偏波用アンテナ１５０ｂを含んで構成される。
【００３２】
符号化器１１０−０にはＶ偏波信号Ｖ０により送信すべきビットストリームである情報系列が入力され、符号化器１１０−ｉ（ｉ＝１〜ｎ）には、Ｐ＿θｉ偏波信号により送信すべき情報系列が入力され、符号化器１１０−（ｎ＋１）にはＨ偏波信号Ｈ０により送信すべき情報系列が入力される。符号化器１１０−ｋ（ｋ＝０〜（ｎ＋１））は、入力された情報系列に対して、予め定められた誤り訂正符号化を行い、誤り訂正符号化をした情報系列を変調器１２０−ｋに出力する。誤り訂正符号には、例えば、リード・ソロモン符号、ターボ符号、低密度パリティ検査符号などを用いることができる。
【００３３】
変調器１２０−ｋ（ｋ＝０〜（ｎ＋１））は、符号化器１１０−ｋから入力された誤り訂正符号化された情報系列を、予め定められた変調方式により変調し、変調信号を出力する。変調方式には、例えば、ＢＰＳＫ（Binary phase-shift keying；２位相偏移変調）、１６ＱＡＭ（16 Quadrature amplitude modulation；１６値直交振幅変調）などを用いることができる。変調器１２０−０は、Ｖ偏波を用いた変調信号であるＶ偏波信号Ｖ０を出力し、変調器１２０−ｉ（ｉ＝１〜ｎ）は、Ｐ＿θｉ偏波を用いた変調信号であるＰ＿θｉ偏波信号を出力し、変調器１２０−（ｎ＋１）は、Ｈ偏波を用いた変調信号であるＨ偏波信号Ｈ０を出力する。
【００３４】
投影器１３０ａ−ｉ（ｉ＝１〜ｎ）は、変調器１２０−ｉから入力されたＰ＿θｉ偏波の変調信号をＶ偏波の波面に投影して得られたＶ偏波軸への写像成分Ｖｉを加算器１４０ａへ出力する。また、投影器１３０ｂ−ｉ（ｉ＝１〜ｎ）は、変調器１２０−ｉから入力されたＰ＿θｉ偏波の変調信号をＨ偏波の波面に投影して得られたＨ偏波軸への写像成分Ｈｉを加算器１４０ｂへ出力する。
【００３５】
加算器１４０ａは、変調器１２０−０から入力されたＶ偏波信号Ｖ０と、投影器１３０ａ−ｉ（ｉ＝１〜ｎ）から入力された写像成分Ｖｉを加算してＶ偏波多重信号を生成し、Ｖ偏波用アンテナ１５０ａに出力する。加算器１４０ｂは、変調器１２０−（ｎ＋１）から入力されたＨ偏波信号Ｈ０と、投影器１３０ｂ−ｉ（ｉ＝１〜ｎ）から入力された写像成分Ｈｉを加算してＨ偏波多重信号を生成し、Ｈ偏波用アンテナ１５０ｂに出力する。Ｖ偏波用アンテナ１５０ａは、加算器１４０ａから入力されたＶ偏波多重信号を無線により送信する。Ｈ偏波用アンテナ１５０ｂは、加算器１４０ｂから入力されたＨ偏波多重信号を無線により送信する。
【００３６】
続いて、送信装置１００の信号送信処理を説明する。図７は、送信装置１００の信号送信処理の流れを表すフローチャートである。
符号化器１１０−ｋ（ｋ＝０〜（ｎ＋１））は、入力された情報系列の誤り訂正符号化を行い（ステップＳ１０１）、変調器１２０−ｋは、符号化器１１０−ｋにより誤り訂正符号化された情報系列を変調する（ステップＳ１０２）。投影器１３０ａ−ｉ（ｉ＝１〜ｎ）は、変調器１２０−ｉにより変調されたＰ＿θｉ偏波の変調信号からＶ偏波軸への写像成分Ｖｉを生成し（ステップＳ１０３ａ）、投影器１３０ｂ−ｉは、変調器１２０−ｉにより変調されたＰ＿θｉ偏波の変調信号からＨ偏波軸への写像成分Ｈｉを生成する（ステップＳ１０３ｂ）。
【００３７】
加算器１４０ａは、変調器１２０−０が生成したＶ偏波信号Ｖ０の変調信号と、投影器１３０ａ−ｉ（ｉ＝１〜ｎ）が生成したＰ＿θｉ偏波の変調信号の写像成分Ｖ１〜Ｖｎを加算してＶ偏波多重信号を生成し（ステップＳ１０４ａ）、Ｖ偏波用アンテナ１５０ａに出力する。加算器１４０ｂは、変調器１２０−（ｎ＋１）が生成したＨ偏波信号Ｈ０の変調信号と、投影器１３０ｂ−ｉ（ｉ＝１〜ｎ）が生成したＰ＿θｉ偏波の変調信号の写像成分Ｈ１〜Ｈｎを加算してＨ偏波多重信号を生成し（ステップＳ１０４ｂ）、Ｈ偏波用アンテナ１５０ｂに出力する。Ｖ偏波用アンテナ１５０ａは、加算器１４０ａから入力されたＶ偏波多重信号を無線により送信する（ステップＳ１０５ａ）。Ｈ偏波用アンテナ１５０ｂは、加算器１４０ｂから出力されたＨ偏波多重信号を無線により送信する（ステップＳ１０５ｂ）。Ｖ偏波用アンテナ１５０ａと、Ｈ偏波用アンテナ１５０ｂとは、同じ周波数の無線により同時に信号を送信する。
【００３８】
図８は、送信装置の他の構成を示すブロック図である。
同図に示すように、送信装置２００は、それぞれが１筐体により構成される（ｎ＋２）台の送信部２０１−０〜２０１−（ｎ＋１）からなる。送信部２０１−０は、Ｖ偏波信号Ｖ０を送信し、送信部２０１−ｉ（ｉ＝１〜ｎ）は、Ｐ＿θｉ偏波信号を送信し、送信部２０１−（ｎ＋１）は、Ｈ偏波信号Ｈ０を送信する。図６に示す送信装置１００は、筐体内で偏波信号を多重して送信するが、図８に示す送信装置２００では、各送信部２０１−０〜２０１−（ｎ＋１）のそれぞれが偏波信号を送信する。これにより、受信装置側のＶ偏波用アンテナでは、各偏波信号のＶ偏波軸への写像成分を多重したＶ偏波多重信号が受信され、Ｈ偏波用アンテナでは、各偏波信号のＨ偏波軸への写像成分を多重したＨ偏波多重信号が受信される。送信装置２００は、固定通信や、衛星通信を対象とし、偏波角は、手調整により設営時に設定される。なお、送信部２０１−０〜２０１−（ｎ＋１）の各筐体は、同一の使用者によって使用されても良いし、それぞれ異なる使用者によって使用されても良い。また、送信部２０１−０〜２０１−（ｎ＋１）の各筐体は、同一の場所に設置されても良いし、それぞれ異なる場所に設置されても良い。
【００３９】
送信部２０１−ｋ（ｋ＝０〜（ｎ＋１））は、符号化器２１０−ｋ、変調器２２０−ｋを備える。さらに、送信部２０１−０はＶ偏波用アンテナ２５０−０を備え、送信部２０１−ｉ（ｉ＝１〜ｎ）はＰ＿θｉ偏波用アンテナ２５０−ｉを備え、送信部２０１−（ｎ＋１）０はＨ偏波用アンテナ２５０−（ｎ＋１）を備える。各Ｐ＿θｉ偏波用アンテナ２５０−ｉは、偏波角θｉに応じて角度が調整されて設置される。
【００４０】
符号化器２１０−ｋ（ｋ＝０〜（ｎ＋１））は、図６に示す送信装置１００の符号化器１１０−ｋと同様の誤り訂正符号化処理を、変調器２２０−ｋは、図６に示す送信装置１００の変調器１２０−ｋと同様の変調を行う。Ｖ偏波用アンテナ２５０−０は、変調器２２０−０から入力されたＶ偏波信号を無線により送信し、Ｐ＿θｉ偏波用アンテナ２５０−ｉ（ｉ＝１〜ｎ）は、変調器２２０−ｉから入力されたＰ＿θｉ偏波信号を無線により送信し、Ｈ偏波用アンテナ２５０−（ｎ＋１）は、変調器２２０−（ｎ＋１）から出力されたＨ偏波信号を無線により送信する。
【００４１】
続いて、送信装置２００の信号送信処理を説明する。図９は、送信装置２００の信号送信処理の流れを表すフローチャートである。なお、各送信部２０１−ｋ（ｋ＝０〜（ｎ＋１））における送信処理の流れを表すフローチャートは同じフローチャートとなる。そのため、送信部２０１−ｋ（ｋ＝０〜（ｎ＋１））に対応するフローチャートをまとめて図９に示す。
送信部２０１−０において、符号化器２１０−０は、入力された情報系列の誤り訂正符号化を行い（ステップＳ２０１）、変調器２２０−０は、符号化器２１０−０により誤り訂正符号化された情報系列を変調し（ステップＳ２０２）、Ｖ偏波用アンテナ２５０−０に出力する。
一方、送信部２０１−ｉ（ｉ＝１〜ｎ）において、符号化器２１０−ｉは、入力された情報系列の誤り訂正符号化を行い（ステップＳ２０１）、変調器２２０−ｉは、符号化器２１０−ｉにより誤り訂正符号化された情報系列を変調し（ステップＳ２０２）、Ｐ＿θｉ偏波用アンテナ２５０−ｉに出力する。
【００４２】
また、送信部２０１−（ｎ＋１）において、符号化器２１０−（ｎ＋１）は、情報系列の誤り訂正符号化を行い（ステップＳ２０１）、変調器２２０−（ｎ＋１）は、符号化器２１０−（ｎ＋１）により誤り訂正符号化された情報系列を変調し（ステップＳ２０２）、Ｈ偏波用アンテナ２５０−（ｎ＋１）に出力する。
Ｖ偏波用アンテナ２５０−０はＶ偏波信号Ｖ０を無線により送信する（ステップＳ２０３）。Ｐ＿θｉ偏波用アンテナ２５０−ｉ（ｉ＝１〜ｎ）はＰ＿θｉ偏波信号を無線により送信する（ステップＳ２０３）。Ｈ偏波用アンテナ２５０−（ｎ＋１）はＨ偏波信号Ｈ０を無線により送信する（ステップＳ２０３）。Ｖ偏波用アンテナ２５０−０と、Ｐ＿θｉ偏波用アンテナ２５０−ｉ（ｉ＝１〜ｎ）と、Ｈ偏波用アンテナ２５０−（ｎ＋１）とは、同じ周波数の無線により同時に信号を送信する。
【００４３】
図１０は、送信装置のさらに他の構成を示すブロック図である。同図において、図８に示す送信装置２００と同一の部分には同一の符号を付し、その説明を省略する。この図に示す送信装置３００が図８に示す送信装置２００と異なる点は、送信部２０１−１〜２０１−ｎに代えて、送信部３０１−１〜３０１−ｎが設けられている点である。図６に示す送信装置１００では、１つの送信装置においてＶＨ偏波多重用の二素子アンテナを具備しているが、図１０に示す送信装置３００では、送信部３０１−１〜３０１−ｎのそれぞれが、ＶＨ偏波多重用の二素子アンテナを具備し、Ｖ偏波信号、Ｈ偏波信号をそれぞれ空中線上で多重する。
【００４４】
送信部３０１−ｉ（ｉ＝１〜ｎ）は、符号化器３１０−ｉ、変調器３２０−ｉ、投影器３３０ａ−ｉ、投影器３３０ｂ−ｉ、Ｖ偏波用アンテナ３５０ａ−ｉ、及び、Ｈ偏波用アンテナ３５０ｂ−ｉを含んで構成される。
【００４５】
符号化器３１０−ｉ（ｉ＝１〜ｎ）は、図８に示す送信装置２００の符号化器２１０−ｉと同様の処理を、変調器３２０−ｉは、図８に示す送信装置２００の変調器２２０−ｉと同様の処理を行う。
投影器３３０ａ−ｉ（ｉ＝１〜ｎ）は、変調器３２０−ｉから入力されたＰ＿θｉ偏波の変調信号をＶ偏波の波面に投影して得られたＶ偏波軸への写像成分Ｖｉを出力する。また、投影器３３０ｂ−ｉ（ｉ＝１〜ｎ）は、変調器３２０−ｉから入力されたＰ＿θｉ偏波の変調信号をＨ偏波の波面に投影して得られたＨ偏波軸への写像成分Ｈｉを出力する。
【００４６】
続いて、送信装置３００の信号送信処理を説明する。図１１は、送信装置３００の信号送信処理の流れを表すフローチャートである。なお、送信部２０１−０及び送信部２０１−（ｎ＋１）における送信処理の流れは、いずれも図９に示す通りである。そのため、送信部２０１−０及び送信部２０１−（ｎ＋１）における送信処理の流れについては、フローチャートを用いた説明を省略する。また、各送信部３０１−ｉ（ｉ＝１〜ｎ）における送信処理の流れを表すフローチャートは同じフローチャートとなる。そのため、送信部３０１−ｉ（ｉ＝１〜ｎ）に対応するフローチャートをまとめて図１１に示す。
送信部２０１−０、送信部２０１−（ｎ＋１）は、送信装置２００と同様に動作し、Ｖ偏波用アンテナ２５０−０、Ｈ偏波用アンテナ２５０−（ｎ＋１）に変調信号が入力される。
【００４７】
一方、送信部３０１−ｉ（ｉ＝１〜ｎ）において、符号化器３１０−ｉは、入力された情報系列の誤り訂正符号化を行い（ステップＳ３０１）、変調器３２０−ｉは、符号化器３１０−ｉにより誤り訂正符号化された情報系列を変調する（ステップＳ３０２）。投影器３３０ａ−ｉ（ｉ＝１〜ｎ）は、変調器３２０−ｉが変調したＰ＿θｉ偏波の変調信号からＶ偏波軸への写像成分Ｖｉを生成し（ステップＳ３０３ａ）、Ｖ偏波用アンテナ３５０ａ−ｉに出力する。また、投影器３３０ｂ−ｉ（ｉ＝１〜ｎ）は、変調器３２０−ｉが変調したＰ＿θｉ偏波の変調信号からＨ偏波軸への写像成分Ｈｉを生成し（ステップＳ３０３ｂ）、Ｈ偏波用アンテナ３５０ｂ−ｉに出力する。
【００４８】
Ｖ偏波用アンテナ２５０−０はＶ偏波信号Ｖ０を無線により送信する。Ｖ偏波用アンテナ３５０ａ−ｉ（ｉ＝１〜ｎ）は、Ｐ＿θｉ偏波信号のＶ偏波軸への写像成分Ｖｉを無線により送信する（ステップＳ３０４ａ）。Ｈ偏波用アンテナ３５０ｂ−ｉ（ｉ＝１〜ｎ）は、Ｐ＿θｉ偏波信号のＨ偏波軸への写像成分Ｈｉを無線により送信する（ステップＳ３０４ｂ）。Ｈ偏波用アンテナ２５０−（ｎ＋１）は、Ｈ偏波信号Ｈ０を無線により送信する。Ｖ偏波用アンテナ２５０−０と、Ｖ偏波用アンテナ３５０ａ−ｉ（ｉ＝１〜ｎ）と、Ｈ偏波用アンテナ２５０−（ｎ＋１）とは、同じ周波数の無線により同時に信号を送信する。
【００４９】
図１２は、本発明の一実施形態による受信装置５００の構成を示すブロック図である。
同図に示すように、受信装置５００は、Ｖ偏波用アンテナ５０１、Ｈ偏波用アンテナ５０２、電力測定器５０３、電力測定器５０４、比較器５０５、選択器５０６、及び、復調復号処理部５１０−０〜５１０−（ｎ＋１）を備えて構成される。
【００５０】
Ｖ偏波用アンテナ５０１は、Ｖ偏波多重信号を受信し、Ｈ偏波用アンテナ５０２は、Ｈ偏波多重信号を受信する。電力測定器５０３は、Ｖ偏波用アンテナ５０１が受信したＶ偏波多重信号の信号電力を測定し、電力測定器５０４は、Ｈ偏波用アンテナ５０２が受信したＨ偏波多重信号の信号電力を測定する。比較器５０５は、電力測定器５０３、５０４により測定された信号電力を比較し、電力レベルが高いほうの受信信号を復調復号対象として選択するよう制御信号により選択器５０６に指示する。
【００５１】
選択器５０６は、復調復号対象としてＶ偏波多重信号を選択した場合、Ｖ偏波多重信号であるＶ偏波処理対象信号ＲＶ０を復調復号対象信号として、Ｈ偏波多重信号であるＨ偏波処理対象信号ＲＨ０を復調復号非対象信号として復調復号処理部５１０−０に出力し、復調復号対象としてＨ偏波多重信号を選択した場合、Ｈ偏波多重信号であるＨ偏波処理対象信号ＲＨ０を復調復号対象信号として、Ｖ偏波多重信号であるＶ偏波処理対象信号ＲＶ０を復調復号非対象信号として復調復号処理部５１０−（ｎ＋１）に出力する。復調復号処理部５１０−０は、復調復号対象信号であるＶ偏波処理対象信号からＶ偏波信号Ｖ０の復調復号を行ない、復調復号処理部５１０−ｉ（ｉ＝１〜ｎ）は、復調復号対象信号であるＶ偏波処理対象信号またはＨ偏波処理対象信号からＰ＿θｉ偏波信号の復調復号を行い、復調復号処理部５１０−（ｎ＋１）は、復調復号対象信号であるＨ偏波処理対象信号からＨ偏波信号Ｈ０の復調復号を行なう。
【００５２】
図１３は、図１２に示す復調復号処理部５１０−０の構成を示すブロック図である。なお、復調復号処理部５１０−（ｎ＋１）は、復調復号処理部５１０−０の内部構成の各部の符号の「−０」を「−（ｎ＋１）」に置き換えた構成である。以下、復調復号処理部５１０−０の構成を説明する。
【００５３】
同図に示すように、復調復号処理部５１０−０は、遅延器５１１−０、遅延器５１２−０、伝送路推定器５１４−０、復調器５１５−０、復号器５１６−０、再符号化器５１７−０、再変調器５１８−０、振幅位相調整器５１９−０、減算器５２１−０、電力測定器５２４−０、電力測定器５２５−０、比較器５２６−０、及び、選択器５２７−０を備えて構成される。
【００５４】
遅延器５１１−０は、復調復号非対象信号であるＨ偏波処理対象信号を記憶し、時間的遅延を付加する。遅延器５１２−０は、復調復号対象信号であるＶ偏波処理対象信号を記憶し、時間的遅延を付加する。伝送路推定器５１４−０は、Ｖ偏波処理対象信号に含まれるパイロット信号などから伝送路特性を推定する。復調器５１５−０は、伝送路推定器５１４−０により推定された伝送路特性を用いて、Ｖ偏波処理対象信号を復調してＶ偏波信号Ｖ０の情報系列の尤度を算出する。復号器５１６−０は、復調器５１５−０により算出された尤度に基づき誤り訂正処理及び復号処理を行い、Ｖ偏波信号Ｖ０の情報系列を得る。
【００５５】
再符号化器５１７−０は、復号器５１６−０により復号された情報系列に、当該情報系列を送信した送信装置において用いられた符号化と同じ符号化を行う。再変調器５１８−０は、再符号化器５１７−０が符号化した情報系列を、当該情報系列を送信した送信装置において用いられた変調方式と同じ変調方式で変調を行う。振幅位相調整器５１９−０は、伝送路推定器５１４−０により推定された伝送路特性の推定値を再変調器５１８−０が変調した信号に乗算し、送信元の送信装置が送信したＶ偏波信号Ｖ０を自受信装置において受信したときの推定信号であるレプリカＶ偏波信号Ｖ０’を生成する。
【００５６】
減算器５２１−０は、遅延器５１２−０が出力するＶ偏波処理対象信号から、振幅位相調整器５１９−０により生成されたレプリカＶ偏波信号Ｖ０’を除去して新たなＶ偏波処理対象信号を生成する。電力測定器５２４−０は、減算器５２１−０から出力されたＶ偏波処理対象信号の信号電力を測定し、電力測定器５２５−０は、遅延器５１１−０から出力されたＨ偏波処理対象信号の信号電力を測定する。比較器５２６−０は、電力測定器５２４−０、５２６−０により測定されたＶ偏波処理対象信号、Ｈ偏波処理対象信号の信号電力を比較し、電力レベルが高いほうを復調復号対象信号として選択するよう制御信号により選択器５２７−０へ指示する。また、比較器５２６−０は、次の復調復号処理によりＰ＿θ１〜Ｐ＿θｎのいずれかの情報系列を得る場合、次に復調復号動作を行う復調復号処理部５１０−１〜５１０−ｎへ、復調復号対象信号がＶ偏波処理対象信号あるいはＨ偏波処理対象信号である旨を制御信号により通知する。選択器５２７−０は、比較器５２６−０からの指示に従って、復調復号処理部５１０−１〜（ｎ＋１）のうち次に復調復号動作を行う復調復号部に、復調復号対象信号、復調復号非対象信号としてＶ偏波処理対象信号、Ｈ偏波処理対象信号を出力する。
【００５７】
なお、復調復号処理部５１０−（ｎ＋１）の場合、上記の各部の符号の「−０」を「−（ｎ＋１）」に、「Ｖ偏波処理対象信号」を「Ｈ偏波処理対象信号」に、「Ｈ偏波処理対象信号」を「Ｖ偏波処理対象信号」に、「Ｖ偏波信号Ｖ０」を「Ｈ偏波信号Ｈ０」に、「レプリカＶ偏波信号Ｖ０’」を「レプリカＨ偏波信号Ｈ０’」に読み替える。
【００５８】
図１４は、図１２に示す復調復号処理部５１０−ｉ（ｉ＝１〜ｎ）の構成を示すブロック図である。復調復号処理部５１０−ｉ（ｉ＝１〜ｎ）は、遅延器５１１−ｉ、遅延器５１２−ｉ、投影器５１３−ｉ、伝送路推定器５１４−ｉ、復調器５１５−ｉ、復号器５１６−ｉ、再符号化器５１７−ｉ、再変調器５１８−ｉ、振幅位相調整器５１９−ｉ、投影器５２０−ｉ、減算器５２１−ｉ、投影器５２２−ｉ、減算器５２３−ｉ、電力測定器５２４−ｉ、電力測定器５２５−ｉ、比較器５２６−ｉ、及び、選択器５２７−ｉを備えて構成される。
【００５９】
遅延器５１１−ｉは、復調復号非対象信号を記憶し、時間的遅延を付加する。遅延器５１２−ｉは、復調復号対象信号を記憶し、時間的遅延を付加する。投影器５１３−ｉは、受信した制御信号により復調復号対象信号がＶ偏波処理対象信号である旨が通知された場合、復調復号対象信号をＶ偏波軸からＰ＿θｉ偏波軸へ投影した写像成分を生成し、復調復号対象信号がＨ偏波処理対象信号である旨が通知された場合、復調復号対象信号をＨ偏波軸からＰ＿θｉ偏波軸へ投影した写像成分を得る。伝送路推定器５１４−ｉは、投影器５１３−ｉから出力されたＰ＿θｉ偏波軸への写像成分に含まれるパイロット信号などから伝送路特性を推定する。復調器５１５−ｉは、伝送路推定器５１４−ｉにより推定された伝送路特性を用いて、投影器５１３−ｉから出力されたＰ＿θｉ偏波軸への写像成分からＰ＿θｉ偏波信号の情報系列の尤度を算出する。復号器５１６−ｉは、復調器５１５−ｉにより算出された尤度に基づき誤り訂正処理及び復号処理を行い、Ｐ＿θｉ偏波信号の情報系列を得る。
【００６０】
再符号化器５１７−ｉは、復号器５１６−ｉにより復号された情報系列に、当該情報系列を送信した送信装置において用いられた符号化と同じ符号化を行う。再変調器５１８−ｉは、再符号化器５１７−ｉが符号化した情報系列を、当該情報系列を送信した送信装置において用いられた変調方式と同じ変調方式で変調を行う。振幅位相調整器５１９−ｉは、伝送路推定器５１４−ｉにより推定された伝送路特性の推定値を再変調器５１８−ｉが変調した信号に乗算し、送信元の送信装置が送信したＰ＿θｉ偏波信号を自受信装置において受信したときの推定信号であるレプリカＰ＿θｉ偏波信号を生成する。
【００６１】
投影器５２０−ｉは、受信した制御信号により復調復号対象信号がＶ偏波処理対象信号である旨が通知された場合、振幅位相調整器５１９−ｉにより生成されたレプリカＰ＿θｉ偏波信号をＰ＿θｉ偏波軸からＶ偏波軸へ投影したレプリカ写像成分Ｖｉ’を生成し、復調復号対象信号がＨ偏波処理対象信号である旨が通知された場合、振幅位相調整器５１９−ｉにより生成されたレプリカＰ＿θｉ偏波信号をＰ＿θｉ偏波軸からＨ偏波軸へ投影したレプリカ写像成分Ｈｉ’を生成する。減算器５２１−ｉは、遅延器５１２−ｉが出力する復調復号対象信号から、投影器５２０−ｉにより生成されたレプリカＰ＿θｉ偏波信号の写像成分Ｖｉ’またはＨｉ’を減算した結果である処理対象信号を出力する。
【００６２】
投影器５２２−ｉは、受信した制御信号により復調復号対象信号がＶ偏波処理対象信号である旨が通知された場合、振幅位相調整器５１９−ｉにより生成されたレプリカＰ＿θｉ偏波信号をＰ＿θｉ偏波軸からＨ偏波軸へ投影したレプリカ写像成分Ｈｉ’を生成し、復調復号対象信号がＨ偏波処理対象信号である旨が通知された場合、振幅位相調整器５１９−ｉにより生成されたレプリカＰ＿θｉ偏波信号をＰ＿θｉ偏波軸からＶ偏波軸へ投影したレプリカ写像成分Ｖｉ’を生成する。減算器５２３−ｉは、遅延器５１１−ｉが出力する復調復号非対象信号から、投影器５２２−ｉにより生成されたレプリカＰ＿θｉ偏波信号の写像成分Ｈｉ’またはＶｉ’を減算した結果である処理対象信号を出力する。
【００６３】
電力測定器５２４−ｉは、減算器５２１−ｉから出力された処理対象信号の信号電力を測定し、電力測定器５２５−ｉは、減算器５２３−ｉから出力された処理対象信号の信号電力を測定する。比較器５２６−ｉは、電力測定器５２４−ｉ、５２６−ｉにより測定された処理対象信号の信号電力を比較し、電力レベルが高いほうの処理対象信号を出力するよう制御信号により選択器５２７−ｉへ指示する。次の復調復号処理によりＰ＿θ（ｉ＋１）の情報系列を得る場合、次に復調復号処理を行う復調復号処理部５１０−（ｉ＋１）へ、復調復号対象信号がＶ偏波処理対象信号あるいはＨ偏波処理対象信号である旨を制御信号により通知する。選択器５２７−ｉは、比較器５２６−ｉからの指示に従って、次に復調復号処理を行う復調復号処理部５１０−０、５１０−（ｉ＋１）、５１０−（ｎ＋１）のいずれかに、復調復号対象信号、復調復号非対象信号となる処理対象信号を出力する。
【００６４】
続いて、受信装置５００の信号受信処理を説明する。
図１５は、受信装置５００の信号受信処理の流れを表すフローチャートであり、図１６〜図１９は、受信装置５００の信号受信処理を説明するための図である。
以下では、受信装置５００が、Ｖ偏波信号Ｖ０、Ｐ＿θ１偏波信号のＶ偏波軸への写像成分Ｖ１、及び、Ｐ＿θ２偏波信号のＶ偏波軸への写像成分Ｖ２が多重されたＶ偏波多重信号と、Ｈ偏波信号Ｈ０、Ｐ＿θ１偏波信号のＨ偏波軸への写像成分Ｈ１、及び、Ｐ＿θ２偏波信号のＨ偏波軸への写像成分Ｈ２が多重されたＨ偏波多重信号を受信した場合について説明する。
【００６５】
（処理１）：図１６において、受信装置５００のＶ偏波用アンテナ５０１は受信したＶ偏波多重信号を電力測定器５０３及び選択器５０６に出力し、Ｈ偏波用アンテナ５０２は受信したＨ偏波多重信号を電力測定器５０４及び選択器５０６に出力する（図１５のステップＳ５０１）。
【００６６】
（処理２）：電力測定器５０３は、Ｖ偏波用アンテナ５０１から入力されたＶ偏波多重信号の信号電力を測定し、電力測定器５０４は、Ｈ偏波用アンテナ５０２から入力されたＨ偏波多重信号の信号電力を測定する（図１５のステップＳ５０２）。
【００６７】
（処理３）：比較器５０５は、電力測定器５０３により測定されたＶ偏波多重信号の受信信号電力と、電力測定器５０４により測定されたＨ偏波多重信号の受信信号電力とを比較する。ここでは、Ｖ偏波多重信号の受信信号電力が高いと判断したとする。比較器５０５は、Ｖ偏波多重信号を復調復号対象とするよう制御信号により選択器５０６へ指示する（図１５のステップＳ５０３）。
【００６８】
（処理４）選択器５０６は、比較器５０５から受信した制御信号に従って、復調復号対象信号としてＶ偏波多重信号を選択する。Ｖ偏波多重信号の復調復号順番の最初はＶ偏波信号Ｖ０であるため（図１５のステップＳ５０４：ＹＥＳ）、Ｖ偏波信号Ｖ０の復調を行う復調復号処理部５１０−０に、復調復号対象信号として、Ｖ偏波用アンテナ５０１から出力されたＶ偏波多重信号であるＶ偏波処理対象信号ＲＶ０を出力するとともに、復調復号非対象信号として、Ｈ偏波用アンテナ５０２から出力されたＨ偏波多重信号であるＨ偏波処理対象信号ＲＨ０を出力する。
【００６９】
（処理５）：復調復号処理部５１０−０の遅延器５１１−０にＨ偏波処理対象信号ＲＨ０が入力され、遅延器５１２−０、伝送路推定器５１４−０、及び、復調器５１５−０にＶ偏波処理対象信号ＲＶ０が入力される。伝送路推定器５１４−０は、Ｖ偏波処理対象信号ＲＶ０から伝送路特性を推定し（図１５のステップＳ５０５）、復調器５１５−０は、伝送路推定器５１４−０により推定された伝送路特性を用いて、Ｖ偏波処理対象信号ＲＶ０を復調して情報系列の尤度を算出する（図１５のステップＳ５０６）。復号器５１６−０は、復調器５１５−０により算出された尤度に基づき誤り訂正処理及び復号処理を行い、Ｖ偏波信号Ｖ０の情報系列を得て、上位レイヤ等に出力するとともに、再符号化器５１７−０へ出力する（図１５のステップＳ５０７）。
【００７０】
（処理６）：情報系列が得られていない偏波信号があるため（図１５のステップＳ５０８：ＮＯ）、再符号化器５１７−０は、復号器５１６−０により復号された情報系列に、Ｖ偏波信号Ｖ０の送信元の送信装置と同様の符号化を行ない（図１５のステップＳ５０９）、再変調器５１８−０は、再符号化器５１７−０が符号化した信号に、Ｖ偏波信号Ｖ０の送信元送信装置と同様の変調を行なう（図１５のステップＳ５１０）。
【００７１】
（処理７）：振幅位相調整器５１９−０は、伝送路推定器５１４−０により推定された伝送路特性の推定値を再変調器５１８−０が変調した信号に乗算し、レプリカＶ偏波信号Ｖ０’を生成する（図１５のステップＳ５１１）。減算器５２１−０は、遅延器５１２−０が出力したＶ偏波処理対象信号ＲＶ０からレプリカＶ偏波信号Ｖ０’を除去してＶ偏波処理対象信号ＲＶ１を生成する（図１５のステップＳ５１２）。Ｖ偏波処理対象信号ＲＶ０には、Ｖ偏波信号Ｖ０、Ｐ＿θ１偏波信号へのＶ偏波軸への写像成分Ｖ１、及び、Ｐ＿θ２偏波信号のＶ偏波軸への写像成分Ｖ２が多重されているため、レプリカＶ偏波信号Ｖ０’を除去することにより、写像成分Ｖ１及びＶ２が多重されたＶ偏波処理対象信号ＲＶ１が生成される。
【００７２】
（処理８）：電力測定器５２４−０は、減算器５２１−０から出力されたＶ偏波処理対象信号ＲＶ１の信号電力を測定する。遅延器５１１−０は、時間遅延を付加したＨ偏波処理対象信号ＲＨ０をＨ偏波処理対象信号ＲＨ１として出力する。Ｈ偏波処理対象信号ＲＨ１は、Ｈ偏波信号Ｈ０、Ｐ＿θ１偏波信号のＨ偏波軸への写像成分Ｈ１、及び、Ｐ＿θ２偏波信号のＨ偏波軸への写像成分Ｈ２が多重された信号である。電力測定器５２５−０は、遅延器５１１−０から出力されたＨ偏波処理対象信号ＲＨ１の信号電力を測定する（図１５のステップＳ５０２）。
【００７３】
（処理９）：比較器５２６−０は、電力測定器５２４−０により測定されたＶ偏波処理対象信号ＲＶ１の信号電力と、電力測定器５２５−０により測定されたＨ偏波処理対象信号ＲＨ１の信号電力とを比較する。ここでは、Ｖ偏波処理対象信号ＲＶ１の信号電力が高いと判断したとする。比較器５２６−０は、Ｖ偏波処理対象信号ＲＶ１を復調復号対象とするよう選択器５２７−０へ制御信号により指示する（図１５のステップＳ５０３）。Ｖ偏波処理対象信号ＲＶ１に多重されている中で、Ｐ＿θ１偏波信号の復調復号の順番が最も早いため（図１５のステップＳ５０４：ＮＯ）、Ｐ＿θ１偏波信号の復調復号を行なう復調復号処理部５１０−１に、復調復号対象信号がＶ偏波処理対象信号である旨を制御信号により通知する。
【００７４】
（処理１０）選択器５２７−０は、比較器５２６−０から受信した制御信号に従って、復調復号対象信号としてＶ偏波処理対象信号ＲＶ１を選択する。選択器５２７−０は、次に復調復号処理を行なう復調復号処理部５１０−１に、復調復号対象信号としてＶ偏波処理対象信号ＲＶ１を出力するとともに、復調復号非対象信号としてＨ偏波処理対象信号ＲＨ１を出力する。
【００７５】
（処理１１）：図１７において、復調復号処理部５１０−１の遅延器５１１−１にＨ偏波処理対象信号ＲＨ１が入力され、遅延器５１２−１及び投影器５１３−１にＶ偏波処理対象信号ＲＶ１が入力される。投影器５１３−１は、比較器５２６−０から受信した制御信号により復調復号対象信号がＶ偏波処理対象信号である旨が通知されたため、Ｖ偏波処理対象信号ＲＶ１をＶ偏波軸からＰ＿θ１偏波軸へ投影した写像成分を生成し、伝送路推定器５１４−１及び復調器５１５−１に出力する（図１５のステップＳ５１３）。
【００７６】
（処理１２）：伝送路推定器５１４−１は、Ｐ＿θ１偏波軸への写像成分から伝送路特性を推定し（図１５のステップＳ５１４）、復調器５１５−１は、伝送路推定器５１４−１により推定された伝送路特性を用いて、Ｐ＿θ１偏波軸への写像成分の情報系列の尤度を算出する（図１５のステップＳ５１５）。復号器５１６−１は、復調器５１５−１により算出された尤度に基づき誤り訂正処理及び復号処理を行い、Ｐ＿θ１偏波信号の情報系列を得て、上位レイヤ等に出力するとともに、再符号化器５１７−１へ出力する（図１５のステップＳ５１６）。
【００７７】
（処理１３）：情報系列が得られていない偏波信号があるため（図１５のステップＳ５１７：ＮＯ）、再符号化器５１７−１は、復号器５１６−１により復号された情報系列に、Ｐ＿θ１偏波信号の送信元の送信装置と同様の符号化を行ない（図１５のステップＳ５１８）、再変調器５１８−１は、再符号化器５１７−１が符号化した信号に、Ｐ＿θ１偏波信号の送信元送信装置と同様の変調を行なう（図１５のステップＳ５１９）。
【００７８】
（処理１４）：振幅位相調整器５１９−１は、伝送路推定器５１４−１により推定された伝送路特性の推定値を再変調器５１８−１が変調した信号に乗算してレプリカＰ＿θ１偏波信号を生成し、投影器５２０−１及び５２２−１に出力する（図１５のステップＳ５２０）。
【００７９】
（処理１５）：投影器５２０−１は、比較器５２６−０から受信した制御信号により復調復号対象信号がＶ偏波処理対象信号である旨が通知されたため、振幅位相調整器５１９−１により生成されたレプリカＰ＿θ１偏波信号をＰ＿θ１偏波軸からＶ偏波軸へ投影したレプリカ写像成分Ｖ１’を生成する（図１５のステップＳ５２１）。減算器５２１−１は、遅延器５１２−１が出力したＶ偏波処理対象信号ＲＶ１から、投影器５２０−１により生成されたレプリカ写像成分Ｖ１’を減算した結果であるＶ偏波処理対象信号ＲＶ２を出力する。Ｖ偏波処理対象信号ＲＶ１には、Ｐ＿θ１偏波信号のＶ偏波軸への写像成分Ｖ１、及び、Ｐ＿θ２偏波信号のＶ偏波軸への写像成分Ｖ２が多重されているため、レプリカ写像成分Ｖ１’を除去することにより、写像成分Ｖ２のみが含まれるＶ偏波処理対象信号ＲＶ２が生成される（図１５のステップＳ５２２）。
【００８０】
（処理１６）：投影器５２２−１は、比較器５２６−０から受信した制御信号により復調復号対象信号がＶ偏波処理対象信号である旨が通知されたため、振幅位相調整器５１９−１により生成されたレプリカＰ＿θ１偏波信号をＰ＿θ１偏波軸からＨ偏波軸へ投影したレプリカ写像成分Ｈ１’を生成する（図１５のステップＳ５２１）。減算器５２３−１は、遅延器５１１−１が出力したＨ偏波処理対象信号ＲＨ１から、投影器５２２−１により生成されたレプリカ写像成分Ｈ１’を減算した結果であるＨ偏波処理対象信号ＲＨ２を出力する。Ｈ偏波処理対象信号ＲＨ１には、Ｈ偏波信号Ｈ０、Ｐ＿θ１偏波信号のＨ偏波軸への写像成分Ｈ１、及び、Ｐ＿θ２偏波信号のＨ偏波軸への写像成分Ｈ２が多重されているため、レプリカ写像成分Ｈ１’を除去することにより、Ｈ偏波信号Ｈ０及び写像成分Ｈ２が多重されたＨ偏波処理対象信号ＲＨ２が生成される（図１５のステップＳ５２２）。
【００８１】
（処理１７）：電力測定器５２４−１は、減算器５２１−１から出力されたＶ偏波処理対象信号ＲＶ２の信号電力を測定し、電力測定器５２５−１は、減算器５２３−１から出力されたＨ偏波処理対象信号ＲＨ２の信号電力を測定する（図１５のステップＳ５０２）。
【００８２】
（処理１８）：比較器５２６−１は、電力測定器５２４−１により測定されたＶ偏波処理対象信号ＲＶ２の信号電力と、電力測定器５２５−１により測定されたＨ偏波処理対象信号ＲＨ２の信号電力とを比較する。ここでは、Ｈ偏波処理対象信号ＲＨ２の信号電力が高いと判断したとする（図１５のステップＳ５０３）。また、比較器５２６−１は、Ｈ偏波処理対象信号ＲＨ２に多重されている中で、Ｈ偏波信号Ｈ０が最も復調復号の順番が早いため（図１５のステップＳ５０４：ＹＥＳ）、次にＨ偏波信号の復調を行う復調復号処理部５１０−（ｎ＋１）が動作すると判断する。比較器５２６−１は、Ｈ偏波処理対象信号ＲＨ２を復調復号対象とするよう選択器５２７−１へ制御信号により指示する。
【００８３】
（処理１９）選択器５２７−１は、比較器５２６−１から受信した制御信号に従って、復調復号対象信号としてＨ偏波処理対象信号ＲＨ２を選択する。選択器５２７−１は、次に復調復号処理を行なう復調復号処理部５１０−（ｎ＋１）に、復調復号対象信号としてＨ偏波処理対象信号ＲＨ２を出力するとともに、復調復号非対象信号としてＶ偏波処理対象信号ＲＶ２を出力する。
【００８４】
（処理２０）：図１８において、復調復号処理部５１０−（ｎ＋１）の遅延器５１１−（ｎ＋１）にＶ偏波処理対象信号ＲＶ２が入力され、遅延器５１２−（ｎ＋１）、伝送路推定器５１４−（ｎ＋１）、及び、復調器５１５−（ｎ＋１）にＨ偏波処理対象信号ＲＨ２が入力される。伝送路推定器５１４−（ｎ＋１）は、Ｈ偏波処理対象信号ＲＨ２から伝送路特性を推定し（図１５のステップＳ５０５）、復調器５１５−（ｎ＋１）は、伝送路推定器５１４−（ｎ＋１）により推定された伝送路特性を用いて、Ｈ偏波処理対象信号ＲＨ２を復調して情報系列の尤度を算出する（図１５のステップＳ５０６）。復号器５１６−（ｎ＋１）は、復調器５１５−（ｎ＋１）により算出された尤度に基づき誤り訂正処理及び復号処理を行い、Ｈ偏波信号Ｈ０の情報系列を得て、上位レイヤ等に出力するとともに、再符号化器５１７−（ｎ＋１）へ出力する（図１５のステップＳ５０７）。
【００８５】
（処理２１）：情報系列が得られていない偏波信号があるため（図１５のステップＳ５０８：ＮＯ）、再符号化器５１７−（ｎ＋１）は、復号器５１６−（ｎ＋１）により復号された情報系列に、Ｈ偏波信号Ｈ０の送信元の送信装置と同様の符号化を行ない（図１５のステップＳ５０９）、再変調器５１８−（ｎ＋１）は、再符号化器５１７−（ｎ＋１）が符号化した信号に、Ｈ偏波信号Ｈ０の送信元送信装置と同様の変調を行なう（図１５のステップＳ５１０）。
【００８６】
（処理２２）：振幅位相調整器５１９−（ｎ＋１）は、伝送路推定器５１４−（ｎ＋１）により推定された伝送路特性の推定値を再変調器５１８−（ｎ＋１）が変調した信号に乗算し、レプリカＨ偏波信号Ｈ０’を生成する（図１５のステップＳ５１１）。減算器５２１−（ｎ＋１）は、遅延器５１２−（ｎ＋１）が出力したＨ偏波処理対象信号ＲＨ２からレプリカＨ偏波信号Ｈ０’を除去してＨ偏波処理対象信号ＲＨ３を生成する（図１５のステップＳ５１２）。Ｈ偏波処理対象信号ＲＨ２には、Ｈ偏波信号Ｈ０、及び、Ｐ＿θ２偏波信号のＨ偏波軸への写像成分Ｈ２が多重されているため、レプリカＨ偏波信号Ｈ０’を除去することにより、写像成分Ｈ２のみからなるＨ偏波処理対象信号ＲＨ３が生成される。
【００８７】
（処理２３）：電力測定器５２４−（ｎ＋１）は、減算器５２１−（ｎ＋１）から出力されたＶ偏波処理対象信号ＲＶ３の信号電力を測定する。遅延器５１１−（ｎ＋１）は、時間遅延を付加したＶ偏波処理対象信号ＲＶ２をＶ偏波処理対象信号ＲＶ３として出力する。電力測定器５２５−（ｎ＋１）は、遅延器５１１−（ｎ＋１）から出力されたＶ偏波処理対象信号ＲＶ３の信号電力を測定する（図１５のステップＳ５０２）。
【００８８】
（処理２４）：比較器５２６−（ｎ＋１）は、電力測定器５２４−（ｎ＋１）により測定されたＨ偏波処理対象信号ＲＨ３の信号電力と、電力測定器５２５−（ｎ＋１）により測定されたＶ偏波処理対象信号ＲＶ３の信号電力とを比較する。ここでは、Ｖ偏波処理対象信号ＲＶ３が高いと判断したとする。比較器５２６−（ｎ＋１）は、Ｖ偏波処理対象信号ＲＶ３を復調復号対象とするよう選択器５２７−（ｎ＋１）へ制御信号により指示する（図１５のステップＳ５０３）。Ｖ偏波処理対象信号ＲＶ３には、Ｐ＿θ２偏波信号のＶ偏波軸への写像成分Ｖ２のみが含まれるため（図１５のステップＳ５０４：ＮＯ）、比較器５２６−（ｎ＋１）は、次に復調復号処理を行なう復調復号処理部５１０−２に、復調復号対象信号がＶ偏波処理対象信号である旨を制御信号により通知する。
【００８９】
（処理２５）選択器５２７−（ｎ＋１）は、比較器５２６−（ｎ＋１）から受信した制御信号に従って、復調復号対象信号としてＶ偏波処理対象信号ＲＶ３を選択する。選択器５２７−（ｎ＋１）は、次に復調復号処理を行なう復調復号処理部５１０−２に、復調復号対象信号としてＶ偏波処理対象信号ＲＶ３を出力する。なお、復調復号対象信号であるＶ偏波処理対象信号ＲＶ３、復調復号非対象信号であるＨ偏波処理対象信号ＲＨ３とも多重されておらず、次の復調復号処理部５１０−２における復調復号によって、全ての偏波信号が得られるため、復調復号非対象信号は出力しなくともよい。
【００９０】
（処理２６）：図１９において、復調復号処理部５１０−２の投影器５１３−２にＶ偏波処理対象信号ＲＶ３が入力される。投影器５１３−２は、比較器５２６−（ｎ＋１）から受信した制御信号により復調復号対象信号がＶ偏波処理対象信号である旨が通知されたため、Ｖ偏波処理対象信号ＲＶ３をＶ偏波軸からＰ＿θ２偏波軸へ投影した写像成分を生成し、伝送路推定器５１４−２及び復調器５１５−２に出力する（図１５のステップＳ５１３）。
【００９１】
（処理２７）：伝送路推定器５１４−２は、Ｐ＿θ２偏波軸への写像成分から伝送路特性を推定し（図１５のステップＳ５１４）、復調器５１５−２は、伝送路推定器５１４−２により推定された伝送路特性を用いて、Ｐ＿θ２偏波軸への写像成分の情報系列の尤度を算出する（図１５のステップＳ５１５）。復号器５１６−２は、復調器５１５−２により算出された尤度に基づき誤り訂正処理及び復号処理を行い、Ｐ＿θ２偏波信号の情報系列を得て、上位レイヤ等に出力する（図１５のステップＳ５１６）。受信装置５００は、全ての偏波信号の情報系列が得られたため、処理を終了する（ステップＳ５１７：ＹＥＳ）。
【００９２】
なお、（処理１８）において、Ｖ偏波処理対象信号ＲＶ２の信号電力が高いと判断した場合、以下の（処理１８’）以降のように動作する。
【００９３】
（処理１８’）：比較器５２６−１は、Ｖ偏波処理対象信号ＲＶ２の信号電力がＨ偏波処理対象信号ＲＨ２の信号電力より高いと判断する。比較器５２６−１は、Ｖ偏波処理対象信号ＲＶ２を復調復号対象とするよう選択器５２７−１へ制御信号により指示し、復調復号処理部５１０−２に、復調復号対象信号がＶ偏波処理対象信号である旨を制御信号により通知する（図１５のステップＳ５０３）。選択器５２７−１は、復調復号処理部５１０−２に、復調復号対象信号としてＶ偏波処理対象信号ＲＶ２を出力するとともに、復調復号非対象信号としてＨ偏波処理対象信号ＲＨ２を出力する（図１５のステップＳ５０４：ＮＯ）。
【００９４】
（処理１９’）：復調復号処理部５１０−２の遅延器５１１−１にＨ偏波処理対象信号ＲＨ２が入力され、遅延器５１２−２及び投影器５１３−２にＶ偏波処理対象信号ＲＶ２が入力される。投影器５１３−１は、Ｖ偏波処理対象信号ＲＶ２をＶ偏波軸からＰ＿θ２偏波軸へ投影した写像成分を生成する（図１５のステップＳ５１３）。伝送路推定器５１４−２は、Ｐ＿θ２偏波軸への写像成分から伝送路特性を推定し（図１５のステップＳ５１４）、復調器５１５−２は、この推定された伝送路特性を用いて、Ｐ＿θ２偏波軸への写像成分の情報系列の尤度を算出する（図１５のステップＳ５１５）。復号器５１６−２は、この算出された尤度に基づき誤り訂正処理及び復号処理を行い、Ｐ＿θ２偏波信号の情報系列を得る（図１５のステップＳ５１６）。
【００９５】
（処理２０’）：情報系列が得られていない偏波信号があるため（図１５のステップＳ５１７：ＮＯ）、再符号化器５１７−２は、復号器５１６−２により復号された情報系列に、Ｐ＿θ２偏波信号の送信元の送信装置と同様の符号化を行ない（図１５のステップＳ５１８）、再変調器５１８−２は、再符号化器５１７−２が符号化した信号に、Ｐ＿θ２偏波信号の送信元送信装置と同様の変調を行なう（図１５のステップＳ５１９）。振幅位相調整器５１９−２は、伝送路推定器５１４−２により推定された伝送路特性の推定値を再変調器５１８−２が変調した信号に乗算し、レプリカＰ＿θ２偏波信号を生成する（図１５のステップＳ５２０）。
【００９６】
（処理２１’）：投影器５２０−２は、レプリカＰ＿θ２偏波信号をＰ＿θ２偏波軸からＶ偏波軸へ投影したレプリカ写像成分Ｖ２’を生成する（図１５のステップＳ５２１）。減算器５２１−２は、遅延器５１２−２が出力したＶ偏波処理対象信号ＲＶ２から、レプリカ写像成分Ｖ２’を減算した結果であるＶ偏波処理対象信号ＲＶ３を出力する（図１５のステップＳ５２２）。
【００９７】
（処理２２’）：投影器５２２−２は、レプリカＰ＿θ２偏波信号をＰ＿θ２偏波軸からＨ偏波軸へ投影したレプリカ写像成分Ｈ２’を生成する（図１５のステップＳ５２１）。減算器５２３−２は、遅延器５１１−２が出力したＨ偏波処理対象信号ＲＨ２から、レプリカ写像成分Ｈ２’を減算した結果であるＨ偏波処理対象信号ＲＨ３を出力する（図１５のステップＳ５２２）。
【００９８】
（処理２３’）：比較器５２６−２は、電力測定器５２４−２により測定されたＶ偏波処理対象信号ＲＶ３の信号電力より、電力測定器５２５−２により測定されたＨ偏波処理対象信号ＲＨ３の信号電力が高いと判断する（図１５のステップＳ５０２）。比較器５２６−２は、Ｈ偏波処理対象信号ＲＨ３を復調復号対象とするよう選択器５２７−２へ制御信号により指示する（図１５のステップＳ５０３）。選択器５２７−２は、復調復号処理部５１０−（ｎ＋１）に、復調復号対象信号としてＨ偏波処理対象信号ＲＨ３を出力する（図１５のステップＳ５０４：ＹＥＳ）。
【００９９】
（処理２４’）：復調復号処理部５１０−（ｎ＋１）の伝送路推定器５１４−（ｎ＋１）は、Ｈ偏波処理対象信号ＲＨ３から伝送路特性を推定し（図１５のステップＳ５０５）、復調器５１５−（ｎ＋１）は、推定された伝送路特性を用いて、Ｈ偏波処理対象信号ＲＨ３を復調して情報系列の尤度を算出する（図１５のステップＳ５０６）。復号器５１６−（ｎ＋１）は、この算出された尤度に基づき誤り訂正処理及び復号処理を行い、Ｈ偏波信号Ｈ０の情報系列を得て、上位レイヤ等に出力する（図１５のステップＳ５０７）。受信装置５００は、全ての偏波信号の情報系列が得られたため、処理を終了する（ステップＳ５０８：ＹＥＳ）。
【０１００】
上記により、Ｖ偏波信号Ｖ０、Ｈ偏波信号Ｈ０、Ｐ＿θ１偏波信号、Ｐ＿θ２偏波信号の全ての情報系列を得ることができる。
【０１０１】
なお、受信装置５００は、あるタイミングで受信したＶ偏波多重信号とＨ偏波多重信号について復調復号しながら、次のタイミングで受信したＶ偏波多重信号とＨ偏波多重信号について、復調復号することも可能である。
【０１０２】
なお、上記実施形態では、復調復号処理部５１０−ｉ（ｉ＝１〜ｎ）は、Ｖ偏波処理対象信号またはＨ偏波処理対象信号のいずれかをＰ＿θｉ偏波軸に投影した写像成分からＰ＿θｉ偏波信号の復調復号を行なっているが、Ｖ偏波処理対象信号からＶ偏波信号Ｖ０が除去さており、かつ、Ｈ偏波処理対象信号からＨ偏波信号Ｈ０が除去さている場合は、Ｖ偏波処理対象信号をＰ＿θｉ偏波軸に投影した写像成分と、Ｈ偏波処理対象信号をＰ＿θｉ偏波軸に投影した写像成分とを合成した写像成分からＰ＿θｉ偏波信号の復調復号を行なってもよい。
【０１０３】
例えば、上記の（処理２５）において、選択器５２７−（ｎ＋１）は、Ｖ偏波処理対象信号ＲＶ３及びＨ偏波処理対象信号ＲＨ３を復調復号処理部５１０−２に出力する。そして、（処理２６）において、復調復号処理部５１０−２は、Ｖ偏波処理対象信号ＲＶ３をＶ偏波軸からＰ＿θ２偏波軸へ投影した写像成分と、Ｈ偏波処理対象信号ＲＨ３をＨ偏波軸からＰ＿θ２偏波軸へ投影した写像成分を生成し、これらの写像成分を合成して、伝送路推定器５１４−２及び復調器５１５−２に出力する。
合成手段として最大比合成、同相合成、選択合成など各種合成手段を使用することができ、これによりダイバーシチ合成利得が得られる。
【０１０４】
また、上記実施形態では、信号の品質の比較に信号電力を用いているが、ＳＩＮＲを用いてもよい。この場合、受信装置５００の電力測定器に代えてＳＩＮＲ測定器を備え、比較器は、ＳＩＮＲのよい方を選択するように指示する。
【０１０５】
なお、Ｖ偏波用アンテナ、Ｈ偏波用アンテナの代わりに右旋円偏波アンテナ、左旋円偏波アンテナを利用し、右旋円偏波信号、左旋円偏波信号に対し第３〜第Ｎの偏波信号を多重しても良い。
また、第３〜第Ｎの偏波信号は直線偏波である必要はなく、一般には楕円偏波を用いることができる。楕円偏波には直線偏波や円偏波が含まれる。
【０１０６】
上述した実施形態によれば、直交するＶ偏波、Ｈ偏波を送受信する２偏波多重用アンテナを用いて３偏波以上の偏波多重を実現し、周波数利用効率を高めることができる。そして、これらのアンテナ素子間の受信レベルに差がある場合においても復調誤りを回避し、正常な情報系列を復元することが可能となる。
【符号の説明】
【０１０７】
１００、２００、３００…送信装置
１１０−０〜１１０−（ｎ＋１）、２１０−０〜２１０−（ｎ＋１）、３１０−１〜３１０−ｎ…符号化器
１２０−０〜１２０−（ｎ＋１）、２２０−０〜２２０−（ｎ＋１）、３２０−１〜３２０−ｎ…変調器
１３０ａ−１〜１３０ａ−ｎ、１３０ｂ−１〜１３０ｂ−ｎ、３３０ａ−１〜３３０ａ−ｎ、３３０ｂ−１〜３３０ｂ−ｎ…投影器（投影部）
１４０ａ、１４０ｂ…加算器
１５０ａ、２５０−０、３５０ａ−１〜３５０ａ−ｎ…Ｖ偏波用アンテナ（第１偏波送信部）
１５０ｂ、２５０−（ｎ＋１）、３５０ｂ−１〜３５０ｂ−ｎ…Ｈ偏波用アンテナ（第２偏波送信部）
２０１−０〜２０１−（ｎ＋１）、３０１−１〜３０１−ｎ…送信部
２５０−１〜２５０−ｎ…Ｐ＿θ１偏波用アンテナ〜Ｐ＿θｎ偏波用アンテナ
５００…受信装置
５０１…Ｖ偏波用アンテナ（第１偏波受信部）
５０２…Ｈ偏波用アンテナ（第２偏波受信部）
５０３、５０４、５２４−０〜５２４−（ｎ＋１）、５２５−０〜５２５−（ｎ＋１）…電力測定器
５１３−１〜５１３−ｎ、５２０−１〜５２０−ｎ、５２２−１〜５２２−ｎ…投影器（投影部）
５０５、５２６−０〜５２６−（ｎ＋１）…比較器（比較部）
５０６、５２７−０〜５２７−（ｎ＋１）…選択器
５１０−０〜５１０−（ｎ＋１）…復調復号処理部
５１１−０〜５１１−（ｎ＋１）、５１２−０〜５１２−（ｎ＋１）…遅延器
５１４−０〜５１４−（ｎ＋１）…伝送路推定器
５１５−０〜５１５−（ｎ＋１）…復調器（復調復号部）
５１６−０〜５１６−（ｎ＋１）…復号器（復調復号部）
５１７−０〜５１７−（ｎ＋１）…再符号化器（レプリカ信号生成部）
５１８−０〜５１８−（ｎ＋１）…再変調器（レプリカ信号生成部）
５１９−０〜５１９−（ｎ＋１）…振幅位相調整器（振幅位相調整部）
５２１−０〜５２１−（ｎ＋１）、５２２−１〜５２１−ｎ、５２３−１〜５２３−ｎ…減算器（減算部）
【図１】
0005493084.tif 000002
【図２】
0005493084.tif 000003
【図３】
0005493084.tif 000004
【図４】
0005493084.tif 000005
【図５】
0005493084.tif 000006
【図６】
0005493084.tif 000007
【図７】
0005493084.tif 000008
【図８】
0005493084.tif 000009
【図９】
0005493084.tif 000010
【図１０】
0005493084.tif 000011
【図１１】
0005493084.tif 000012
【図１２】
0005493084.tif 000013
【図１３】
0005493084.tif 000014
【図１４】
0005493084.tif 000015
【図１５】
0005493084.tif 000016
【図１６】
0005493084.tif 000017
【図１７】
0005493084.tif 000018
【図１８】
0005493084.tif 000019
【図１９】
0005493084.tif 000020
【図２０】
0005493084.tif 000021